(57)【要約】      （修正有）【課題】製造バラツキの影響を受け難いプラズマディスプレイの提供。【解決手段】前面基板１と、背面基板２と、面放電電極と、アドレス電極７−ｊと、行隔壁９’と、列隔壁と、行隔壁と列隔壁とで囲まれる放電空間２１を有するＡＣ３電極面放電型プラズマ表示装置で、面放電電極は、透明電極３、３’と透明電極上に形成されたバス電極４、４’とを有する、対を成す放電電極を含んでいる。面放電電極のうちの一方の放電電極に設けられたバス電極４は、行隔壁９’と重なる位置に配置され、面放電電極のうちの他方の放電電極に設けられたバス電極４’は、放電空間２１に面して配置されている。【選択図】  図１３
2005056825.tif 000002
【特許請求の範囲】
【請求項１】
前面基板と、背面基板と、前記前面基板上に形成され行方向に延びる対を成す面放電電極と、前記背面基板上に形成され前記面放電電極と交差する列方向に延びるアドレス電極と、前記面放電電極と前記アドレス電極が交差する位置に形成される表示画素と、前記アドレス電極が延びる方向に隣接する前記表示画素の境界に沿って延在する行隔壁と、前記面放電電極が延びる方向に隣接する前記表示画素の境界に沿って延在する列隔壁と、前記行隔壁と列隔壁とで囲まれる放電空間とを有するＡＣ３電極面放電型プラズマ表示装置において、
前記面放電電極は、
透明電極と前記透明電極上に形成されたバス電極とを有する、対を成す放電電極を含み、
前記面放電電極のうちの一方の放電電極に設けられたバス電極は、前記行隔壁と重なる位置に配置され、
前記面放電電極のうちの他方の放電電極に設けられたバス電極は、前記放電空間に面して配置されていることを特徴とするプラズマ表示装置。
【請求項２】
前記バス電極が前記行隔壁と重なる位置に配置された放電電極と、前記バス電極が前記放電空間に面して配置された放電電極との列方向の配列順序は、前記面放電電極対で同一順序であることを特徴とする請求項１項記載のプラズマ表示装置。
【請求項３】
前記バス電極が前記行隔壁と重なる位置に配置された放電電極と、前記バス電極が前記放電空間に面して配置された放電電極との列方向の配列順序は、前記面放電電極対単位で一行おきに入れ替えられていることを特徴とする請求項１項記載のプラズマ表示装置。
【請求項４】
請求項１〜３のいずれか一項に記載されたプラズマ表示装置と、
前記面放電電極と前記アドレス電極とを駆動する駆動部と
を具備する表示装置。
【請求項５】
行方向に延びる行隔壁と前記行隔壁と交差する列方向に延びる列隔壁を有するＡＣ３電極面放電型プラズマ表示装置を用いた表示方法において、
行方向に延びる１対の面放電電極のうちの一方の放電電極に設けられたバス電極を前記行隔壁と重なる位置に配置し、他方の放電電極に設けられたバス電極を前記行隔壁と列隔壁とで囲まれる放電空間に面して配置し、
アドレス期間における書込み走査パルスの印加を前記他方の放電電極に行うことを特徴とする表示方法。
【請求項６】
行方向に延びる行隔壁と前記行隔壁と交差する列方向に延びる列隔壁を有するＡＣ３電極面放電型プラズマ表示装置を用いた表示方法において、
行方向に延びる１対の面放電電極のうちの一方の放電電極に設けられたバス電極を前記行隔壁と重なる位置に配置し、他方の放電電極に設けられたバス電極を前記行隔壁と列隔壁とで囲まれる放電空間に面して配置し、
アドレス期間における書込み走査パルスの印加を前記一方の放電電極と前記他方の放電電極に交互に行うことを特徴とする表示方法。
【請求項７】
前記１対の面放電電極の前記一方の放電電極と前記他方の放電電極の列方向の配列順序を前記面放電電極対単位で入れ替えて配列することを特徴とする請求項６に記載の表示方法。
【請求項８】
アドレス期間の前半で、前記バス電極が前記行隔壁と重なる位置に配置された放電電極群に書込み走査パルスを印加し、アドレス期間の後半で、前記バス電極が前記放電空間に面して配置された放電電極群に書込み走査パルスを印加することを特徴とする請求項７記載の表示方法。
【請求項９】
前面基板と、
背面基板と、
前記前面基板と前記背面基板との間に設けられた隔壁と、前記隔壁は、行方向に延在する行隔壁と、行方向と交差する列方向に延在する列隔壁とを有し、
前記前面基板と前記背面基板との間に設けられ、前記行隔壁と列隔壁により区画されるセルと、
前記背面基板上に列方向に延在するように形成され、行方向に複数配置されるアドレス電極と、
前記前面基板上に行方向に延在するように形成され、列方向に複数配列される面放電電極とを具備し、
前記複数の面放電電極の各々は、第１組、第２組の２組の放電電極を備え、
前記第１組の放電電極は、
前記セルと前記行隔壁の上に設けられた第１透明電極と、
前記行隔壁上に設けられ、前記第１透明電極に接続された第１バス電極とを備え、
前記第２組の放電電極は、
前記セル上に設けられた第２透明電極と、
前記セル上に設けられ、前記第２透明電極に接続された第２バス電極と
を備えていることを特徴とするプラズマ表示装置。
【請求項１０】
前記第１組の放電電極は、維持電極であり、前記第２組の放電電極は、走査電極である、
請求項９に記載されたプラズマ表示装置。
【請求項１１】
前記第１組の放電電極は、走査電極であり、前記第２組の放電電極は、維持電極である、
請求項９に記載されたプラズマ表示装置。
【請求項１２】
前記複数の面放電電極のうちの配列順で奇数番目の面放電電極の前記第１組の放電電極は、走査電極であり、
前記複数の面放電電極のうちの奇数番目の面放電電極の前記第２組の放電電極は、維持電極であり、
前記複数の面放電電極のうちの偶数番目の面放電電極の前記第１組の放電電極は、前記維持電極であり、
前記複数の面放電電極のうちの偶数番目の面放電電極の前記第２組の放電電極は、前記走査電極である、
請求項９に記載されたプラズマ表示装置。
【請求項１３】
前記複数の面放電電極のうちの配列順で奇数番目の面放電電極の前記第１組の放電電極は、維持電極であり、
前記複数の面放電電極のうちの奇数番目の面放電電極の前記第２組の放電電極は、走査電極であり、
前記複数の面放電電極のうちの偶数番目の面放電電極の前記第１組の放電電極は、前記走査電極であり、
前記複数の面放電電極のうちの偶数番目の面放電電極の前記第２組の放電電極は、前記維持電極である、
請求項９に記載されたプラズマ表示装置。
【請求項１４】
請求項１０又は１１に記載されたプラズマ表示装置と、
前記複数の面放電電極の各々の前記走査電極、前記複数の面放電電極の各々の前記維持電極、及び、前記複数のアドレス電極の各々を駆動する駆動部と、
アドレス期間中に前記複数の面放電電極の各々の前記走査電極と前記複数のアドレス電極の各々の間で書込放電を行って映像を表す映像データを前記セルに書込む制御部とを具備し、
前記制御部は、前記アドレス期間中に、
前記複数の面放電電極の各々の前記維持電極に第１電位を印加し、前記複数の面放電電極の各々の前記走査電極に設定電位を印加し、前記映像データに応じたデータパルス電位を前記複数のアドレス電極の各々に印加するように前記駆動部を駆動し、
前記設定電位から、前記設定電位よりも低い第２電位に下がる走査パルス電位を、前記複数の面放電電極の各々の前記走査電極に順に印加するように前記駆動部を駆動する
表示装置。
【請求項１５】
請求項１２又は１３に記載されたプラズマ表示装置と、
前記複数の面放電電極の各々の前記走査電極、前記複数の面放電電極の各々の前記維持電極、及び、前記アドレス電極を駆動する駆動部と、
アドレス期間中に前記複数の面放電電極の各々の前記走査電極と前記アドレス電極間で書込放電を行って映像を表す映像データを前記セルに書込む制御部とを具備し、
前記制御部は、前記アドレス期間中に、
前記複数の面放電電極の各々の前記維持電極に第１電位を印加し、前記複数の面放電電極の各々の前記走査電極に設定電位を印加し、前記映像データに応じたデータパルス電位を前記アドレス電極に印加するように前記駆動部を駆動し、
前記設定電位から、前記設定電位よりも低い第２電位に下がる走査パルス電位を、前記複数の面放電電極の各々の前記走査電極のうち、前記第１バス電極が行隔壁上に設けられた前記走査電極に順に印加するように前記駆動部を駆動し、
前記第１バス電極が行隔壁上に設けられた前記走査電極に前記走査パルス電位を印加した後、前記走査パルス電位を、前記複数の面放電電極の各々の前記走査電極のうち、前記第２バス電極が前記セル上に設けられた前記走査電極に順に印加するように前記駆動部を駆動する
表示装置。
【請求項１６】
請求項１０又は１１に記載されたプラズマ表示装置を駆動する方法であって、
前記複数の面放電電極の各々の前記走査電極と前記アドレス電極間で書込放電を行って映像を表す映像データを前記セルに書込むアドレス期間中に、前記複数の面放電電極の各々の前記維持電極に第１電位を印加するステップと、
前記アドレス期間中に、前記複数の面放電電極の各々の前記走査電極に設定電位を印加するステップと、
前記映像データに応じたデータパルス電位を前記アドレス電極に印加するステップと、
前記設定電位から、前記設定電位よりも低い第２電位に下がる走査パルス電位を、前記複数の面放電電極の各々の前記走査電極に順に印加するステップと
を具備するプラズマ表示装置の駆動方法。
【請求項１７】
請求項１２又は１３に記載されたプラズマ表示装置を駆動する方法であって、
前記複数の面放電電極の各々の前記走査電極と前記アドレス電極間で書込放電を行って映像を表す映像データを前記セルに書込むアドレス期間中に、前記複数の面放電電極の各々の前記維持電極に第１電位を印加するステップと、
前記アドレス期間中に、前記複数の面放電電極の各々の前記走査電極に設定電位を印加するステップと、
前記アドレス期間中に、前記映像データに応じたデータパルス電位を前記アドレス電極に印加するステップと、
前記アドレス期間中に、前記設定電位から、前記設定電位よりも低い第２電位に下がる走査パルス電位を、前記複数の面放電電極の各々の前記走査電極のうち、前記第１バス電極がが前記隔壁上に設けられた前記走査電極に順に印加するステップと、
前記アドレス期間中に、前記第１バス電極が前記隔壁上に設けられた前記走査電極に前記走査パルス電位を印加した後、前記走査パルス電位を、前記複数の面放電電極の各々の前記走査電極のうち、前記第２バス電極が前記セル上に設けられた前記走査電極に順に印加するステップと
を具備するプラズマ表示装置の駆動方法。
【発明の詳細な説明】
【技術分野】
【０００１】
本発明は、プラズマ表示装置とその駆動方法に関する。
【背景技術】
【０００２】
カラープラズマディスプレイパネルは、ガス放電によって発生した紫外線によって蛍光体を励起発光させることにより表示動作を行うディスプレイである。現在主流になっているプラズマディスプレイパネル（ＰＤＰ）としては３電極ＡＣ型ＰＤＰが採用されている。３電極ＡＣ型ＰＤＰであるプラズマ表示装置を以下に説明する。図１は、従来のプラズマ表示装置の構成を示す。
【０００３】
プラズマ表示装置１３０は、ｍ個（ｍは２以上の偶数）の維持電極である維持電極（Ｃ）１１１−１〜１１１−ｍと、ｍ個の走査電極である走査電極（Ｓ）１１２−１〜１１２−ｍと、ｎ個（ｎは２以上の偶数）のアドレス電極であるアドレス電極（Ｄ）１０７−１〜１０７−ｎと、放電ガスが封入された（ｍ×ｎ）個のセル１２１とを具備する。
（ｍ×ｎ）個のセル１２１は、ｍ行・ｎ列に配列されている。ｍ行のうちの１つの行に属するｎ個のセル１２１には、維持電極（Ｃ）１１１−ｉ（ｉ＝１、２、…、ｍ）と走査電極（Ｓ）１１２−ｉとが設けられている。ｎ列のうちの１つの列に属するｍ個のセル１２１には、維持電極（Ｃ）１１１−ｉと走査電極（Ｓ）１１２−ｉとに直交するアドレス電極１０７−ｊ（ｊ＝１、２、…、ｎ）が設けられている。
維持電極（Ｃ）１１１−ｉと走査電極（Ｓ）１１２−ｉとの間には、放電ギャップ１２２が設けられている。維持電極（Ｃ）１１１−（ｉ＋１）と走査電極（Ｓ）１１２−ｉとの間、維持電極（Ｃ）１１１−ｉと走査電極（Ｓ）１１２−（ｉ＋１）との間には、非放電ギャップ１１３が設けられている。
【０００４】
図２は、従来のプラズマ表示装置１３０の一部を示す斜視断面図である。プラズマ表示装置１３０は、更に、表示側の前面基板１０１と、背面基板１０２と、透明誘電体層１０５と、保護層１０６と、誘電体層１０８と、隔壁１０９と、蛍光体層１１０とを具備する。前面基板１０１と背面基板１０２としては、ガラス基板が例示される。
前面基板１０１と背面基板１０２との間の背面基板１０２上には、Ｙ方向に延びるアドレス電極（Ｄ）１０７−ｊが設けられている。
背面基板１０２とアドレス電極（Ｄ）１０７−ｊとの上には、誘電体層１０８が設けられている。
【０００５】
前面基板１０１と誘電体層１０８との間には、隔壁１０９が設けられている。隔壁１０９は、（ｍ×ｎ）個のセル１２１をｍ行・ｎ列に配列し、且つ、放電のクロストークを防止するための行隔壁１０９’、列隔壁１０９’’を有する。行隔壁１０９’は、Ｘ方向（行方向）に延び、前面基板１０１と誘電体層１０８との間にアドレス電極（Ｄ）１０７−ｊに直交するように設けられている。列隔壁１０９’’は、Ｙ方向（列方向）に延び、前面基板１０１と誘電体層１０８との間にアドレス電極（Ｄ）１０７−ｊに平行に設けられている。
また、行隔壁１０９’は次のような不具合を防ぐ効果がある。第一の効果は、書き込みを行っていないセル１２１が発光する、いわゆる誤灯を防ぐ効果である。また、第二の効果は、Ｙ方向に隣接する２つのセル１２１に書き込みを行った場合において、最初に放電したセル１２１に蓄積された壁電荷の電界が印加電圧とは逆方向に働くために、後から放電するセル１２１の電界が弱められて書込み不良が起こることを防ぐ効果である。
【０００６】
誘電体層１０８と隔壁１０９の側面部（行隔壁１０９’の側面部と列隔壁１０９’’の側面部）との上には、可視発光をさせるための赤、緑、青の蛍光体層１１０がスクリーン印刷などにより形成されている。
前面基板１０１と隔壁１０９との間の隔壁１０９上には、保護層１０６が設けられている。
前面基板１０１と保護層１０６との間の保護層１０６上には、透明誘電体層１０５が設けられている。
【０００７】
図３は、従来のプラズマ表示装置１３０を表示面から見た平面図の一部である。図４は、図３のＹ１−Ｙ２断面図である。
前面基板１０１と透明誘電体層１０５との間には、Ｘ方向に延びる維持電極（Ｃ）１１１−１〜１１１−ｍ、走査電極（Ｓ）１１２−１〜１１２−ｍが設けられている。
維持電極（Ｃ）１１１−１〜１１１−ｍ、走査電極（Ｓ）１１２−１〜１１２−ｍは、Ｘ方向に延びる透明電極１０３と、Ｘ方向に延びるバス電極１０４とにより構成されている。透明電極１０３は、所定の大きさの放電を起こすためにある程度の面積を必要とするために、面積をかせぎ、且つ発光した光の透過率を高める。バス電極１０４は、透明電極１０３に接続され、透明電極１０３のライン抵抗を下げるための金属電極である。
【０００８】
維持電極（Ｃ）１１１−１〜１１１−ｍの透明電極１０３と走査電極（Ｓ）１１２−１〜１１２−ｍの透明電極１０３は、セル１２１と行隔壁１０９’との上に設けられている。維持電極（Ｃ）１１１−１〜１１１−ｍのバス電極１０４と走査電極（Ｓ）１１２−１〜１１２−ｍのバス電極１０４は、セル１２１と行隔壁１０９’との上に設けられている。
【０００９】
具体例として、図３に示されるように、維持電極（Ｃ）１１１−１の透明電極１０３の走査電極（Ｓ）１１２−１側の端部と、走査電極（Ｓ）１１２−１の透明電極１０３の維持電極（Ｃ）１１１−１側の端部とは、セル１２１上で第１所定距離だけ離れて設けられている。第１所定距離は、放電ギャップ１２２に対応する距離である。
維持電極（Ｃ）１１１−２の透明電極１０３の走査電極（Ｓ）１１２−１側の端部は、行隔壁１０９’上に設けられ、その端部には、セル１２１と行隔壁１０９’との上に設けられたバス電極１０４が接続されている。維持電極（Ｃ）１１１−２のバス電極１０４のＹ方向の幅の半分は、行隔壁１０９’上に設けられ、その幅の残り半分は、セル１２１上に設けられている。
走査電極（Ｓ）１１２−１の透明電極１０３の維持電極（Ｃ）１１１−２側の端部は、行隔壁１０９’上に設けられ、その端部には、セル１２１と行隔壁１０９’との上に設けられたバス電極１０４が接続されている。走査電極（Ｓ）１１２−１のバス電極１０４のＹ方向の幅の半分は、行隔壁１０９’上に設けられ、その幅の残り半分は、セル１２１上に設けられている。走査電極（Ｓ）１１２−１のバス電極１０４と維持電極（Ｃ）１１１−２のバス電極１０４とは、行隔壁１０９’上で第２所定距離だけ離れて設けられている。第２所定距離は、非放電ギャップ１１３に対応する距離である。
【００１０】
走査電極（Ｓ）１１２−１のバス電極１０４と維持電極（Ｃ）１１１−２のバス電極１０４との第２所定距離の中間点Ｐが、表示面から見て法線Ｌに重なるように、走査電極（Ｓ）１１２−１のバス電極１０４と維持電極（Ｃ）１１１−２のバス電極１０４とは、セル１２１と行隔壁１０９’との上に設けられる。法線Ｌは、行隔壁１０９’の中央部分を表す、Ｘ方向に延びる線である。バス電極１０４間の中央（中間点Ｐ）と行隔壁１０９’の中央部分（法線Ｌ）は、維持電極（Ｃ）１１１−１〜１１１−ｍと走査電極（Ｓ）１１２−１〜１１２−ｍとを配置するための基準として用いられる。
【００１１】
現在ＡＣ型ＰＤＰにはさまざまな駆動方法が採用されているがその基本となる方式はＡＤＳ方式である。ＡＤＳ方式では、１フィールド（またはサブフィールド）をリセット期間、アドレス期間、維持期間に分けて表示を行う。
【００１２】
図５は、従来のプラズマ表示装置を駆動する駆動波形（電位）を示すタイミングチャートである。まず、リセット期間ではその後の高速動作の安定化と書込み放電を起こし易くするために予備放電を行う。次のアドレス期間では、走査電極１１２−１〜１１２−ｍに書込み走査パルス（走査パルス電位）Ｖｓｐが線順次に印加される。そして、走査電極１１２−１〜１１２−ｍに走査パルス電位Ｖｓｐを印加中に、アドレス電極１０７−１〜１０７−ｎに書込みパルス（データパルス電位）Ｖｄｐを印加し、選択セルに壁電荷を形成する。データパルス電位Ｖｄｐは、映像を表す映像データに対応する電位である。このアドレス期間では、書込み特性が行われる。書込み特性とは、走査電極（Ｓ）１１２−ｉとアドレス電極（Ｄ）１０７−ｊとの間で書込放電を行って映像データをアドレス（セル１２１）に書込む状態をいう。
【００１３】
続く維持期間では、共通電極である維持電極１１１−ｉと走査電極１１２−ｉ間に、これらの電極間の放電開始電圧以下で且つ壁電荷による電圧を足せば放電開始電圧以上になるような電圧として維持パルスを印加して発光を維持する。
【００１４】
最後にリセット期間で消去パルスを印加して壁電荷を初期化する。
【００１５】
ＡＤＳ方式で階調表示を行うときは、１フィールドを複数のサブフィールドに分け、各サブフィールド内の維持パルス数に重みをつけることにより実現される。
【００１６】
しかしながら、大型ＰＤＰにおいて、高精細化を行うと、個々の放電領域が小さくなるのに対して、隔壁やバス電極幅は、形成限界があるために、開口率が落ちてしまい発光輝度が低下してしまうという課題がある。
【００１７】
つまり、高精細ＰＤＰにおいて高い発光輝度を得るには、開口率を如何に大きくするかが重要になる。ところが、隔壁１０９やバス電極１０４を大面積のガラス基板にほとんど欠陥や断線がない様に形成するには、ある程度の幅（形成限界）を確保する必要がある。よって、一般的には、図３に示された非放電ギャップ１１３つまりバス電極１０４間の最短距離を小さくすることが開口率を大きくするのに有効である。
【００１８】
非放電ギャップを最も小さいバス電極間隔の形成限界にまで小さくした構造においては、隣接セルとの干渉を抑えるのに十分な行隔壁の幅を確保する必要がある。例えば、バス電極間隔の形成限界を８０μｍ、バス電極１０４のＹ方向の幅の形成限界を６０μｍとした場合に、行隔壁１０９’のＹ方向の幅を１００μｍ以上確保すれば、ほとんど隣接セルの干渉を抑えることができる。但し、この場合、隔壁とバス電極の位置関係によっては、その位置関係に応じた不具合が生じてしまう。以下に、前記の位置関係とその際に生じる不具合を説明する。
【００１９】
図６は、（Ａ）の場合に従来のプラズマ表示装置１３０を表示面から見た平面図の一部である。図７は、図６のＹ１−Ｙ２断面図である。（Ａ）の場合、行隔壁１０９’のＹ方向の幅は、第１幅（非放電ギャップ１１３と２本分のバス電極１０４のＹ方向の幅とを足した幅）よりも十分に大きい。この場合、維持電極（Ｃ）１１１−１〜１１１−ｍ、走査電極（Ｓ）１１２−１〜１１２−ｍの透明電極１０３は、セル１２１と行隔壁１０９’との上に設けられ、維持電極（Ｃ）１１１−１〜１１１−ｍ、走査電極（Ｓ）１１２−１〜１１２−ｍのバス電極１０４は、行隔壁１０９’上に設けられている。
（Ａ）の場合、縦方向の干渉がないものの、行隔壁１０９’のＹ方向の幅を大きくした分だけ開口率が低下してしまい、十分な発光輝度が得られない。
【００２０】
図８は、（Ｂ）の場合に従来のプラズマ表示装置１３０を表示面から見た平面図の一部である。図９は、図８のＹ１−Ｙ２断面図である。（Ｂ）の場合、行隔壁１０９’のＹ方向の幅は、第２幅（非放電ギャップ１１３）よりも小さい。この場合、維持電極（Ｃ）１１１−１〜１１１−ｍ、走査電極（Ｓ）１１２−１〜１１２−ｍの透明電極１０３とバス電極１０４は、セル１２１上に設けられている。
（Ｂ）の場合、前述の通り縦方向の干渉を抑える効果が不十分になってしまうために、駆動することが困難になってしまう。
【００２１】
最後に（Ｃ）の場合として、図３、４に示されたように、行隔壁１０９’のＹ方向の幅は、第１幅（非放電ギャップ１１３と２本分のバス電極１０４のＹ方向の幅とを足した幅）よりも小さく、第２幅（非放電ギャップ１１３）よりも大きい。（Ｃ）の場合、開口率は、非放電ギャップ１１３と１本分のバス電極１０４のＹ方向の幅とを足した幅とにより決定され、最高の開口率が得られ、前述の縦方向の干渉も抑えられるために従来のプラズマディスプレイで使用されることが多かった。この構成では、バス電極１０４の直下は、一部が放電空間（セル１２１）で一部が行隔壁１０９’という状態になる。これは、バス電極１０４直下がすべて行隔壁１０９’になる（Ａ）の場合や、バス電極１０４直下がすべて放電空間（セル１２１）になる（Ｂ）の場合とは大きく異なる。
【００２２】
この差異は、バス電極１０４直下の電界強度に由来する。つまり、バス電極１０４は薄膜の透明電極１０３よりも厚いがその上層の透明誘電体層１０５は逆に薄くなっているために、バス電極１０４直下の電界強度は、他の部位よりも強くなっている。このことが、パネルを駆動する上で大きな効果を及ぼす。まず、第一にアドレス期間での書込み放電は、バス電極１０４直下にある放電空間が大きいほど電気力線が多くなり放電確率が高く安定して発生する。また第二に、書込み放電時の電界強度が強いためにそれを打ち消すために蓄積される壁電荷も多くなることから、その後の維持放電へ安定して移行していく。つまり、安定した駆動を行うためには、バス電極１０４直下には隔壁１０９があるよりも放電空間（セル１２１）があることが望ましい。
【００２３】
ところが、（Ｃ）行隔壁１０９’の幅が第１幅（非放電ギャップ１１３と２本分のバス電極１０４の幅とを足した幅）よりも小さく第２幅（非放電ギャップ１１３）よりも大きい場合には、対角長が１ｍ近い２つの基板を重ね合わせて熱工程を通して封着させるＰＤＰの製造法の特徴から、重ね合わせ精度及び熱工程における熱収縮の誤差の蓄積によりバス電極間の中央（中間点Ｐ）と行隔壁の中央（法線Ｌ）は数十μｍ程度ずれてしまう。これにより、上下（奇数行と偶数行）のセルで書込み特性に差が生じてしまう。また、製造上のバラツキは意図的に生じさせたものではないために、奇数行のほうが書き込み特性が優れている場合もあれば、偶数行が優れている場合もあるために常に安定した書込み特性を得ることが困難であった。
【００２４】
上記のプラズマ表示装置１３０以外のプラズマ表示装置として、特許文献１には、隣接セル間での誤放電を防止して輝度を向上させるプラズマディスプレイパネルの電極構造が開示されている。
【００２５】
【特許文献１】特開平９−１２０７７７号公報
【発明の開示】
【発明が解決しようとする課題】
【００２６】
本発明の課題は、製造上のバラツキの影響を受け難いプラズマ表示装置を提供することにある。
本発明の他の課題は、高い開口率を得ることができるプラズマ表示装置を提供することにある。
本発明の更に他の課題は、安定した書込き特性を得ることができるプラズマ表示装置を提供することにある。
本発明の更に他の課題は、消費電力を低減することができるプラズマ表示装置を提供することにある。
本発明の更に他の課題は、高い駆動安定性を得ることができるプラズマ表示装置を提供することにある。
【課題を解決するための手段】
【００２７】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００２８】
本発明のプラズマ表示装置（３０）は、前面基板（１）と、背面基板（２）と、前記前面基板（１）上に形成され行方向に延びる対を成す面放電電極（２０−ｉ）（ｉ＝１、２、…、ｍ）と、前記背面基板（２）上に形成され前記面放電電極（２０−ｉ）と交差する列方向に延びるアドレス電極（７−ｊ）（ｊ＝１、２、…、ｎ）と、前記面放電電極（２０−ｉ）と前記アドレス電極（７−ｊ）が交差する位置に形成される表示画素と、前記アドレス電極（７−ｊ）が延びる方向に隣接する前記表示画素の境界に沿って延在する行隔壁（９’）と、前記面放電電極（２０−ｉ）が延びる方向に隣接する前記表示画素の境界に沿って延在する列隔壁（９’’）と、前記行隔壁（９’）と列隔壁（９’’）とで囲まれる放電空間（２１）とを有するＡＣ３電極面放電型プラズマ表示装置である。
前記面放電電極（２０−ｉ）は、透明電極（３、３’）と前記透明電極（３、３’）上に形成されたバス電極（４、４’）とを有する、対を成す放電電極を含んでいる。前記面放電電極（２０−ｉ）のうちの一方の放電電極に設けられたバス電極（４）は、前記行隔壁（９’）と重なる位置に配置され、前記面放電電極（２０−ｉ）のうちの他方の放電電極に設けられたバス電極（４’）は、前記放電空間（２１）に面して配置されていることを特徴とする。
以上の構成により、本発明のプラズマ表示装置（３０）によれば、製造上のバラツキの影響を受け難く、高い開口率が得られる。
製造時に一方の放電電極と他方の放電電極とを配置する場合、従来のプラズマ表示装置（１３０）のようにバス電極間の中央（中間点Ｐ）と行隔壁（１０９’）の中央（法線Ｌ）とを重ね合わせるのではなく、本発明のプラズマ表示装置（３０）では、一方の放電電極のバス電極（４）を行隔壁（９’）上（法線Ｌ上）に設けることにより、製造上のバラツキの影響を受け難い。
開口率は、非放電ギャップ（１３）と１本分のバス電極｛バス電極（４’）｝の幅とを足した幅とにより決定される。このため、本発明のプラズマディスプレイパネル（３０）では、従来のプラズマディスプレイパネル（１３０）における（Ｃ）の場合と同等の高い開口率が得られる。このため、本発明のプラズマ表示装置（３０）によれば、高い開口率によって、十分な発光輝度を得ることができる。
【００２９】
本発明のプラズマ表示装置（３０）において、前記バス電極（４）が前記行隔壁（９’）と重なる位置に配置された放電電極と、前記バス電極（４’）が前記放電空間（２１）に面して配置された放電電極との列方向の配列順序は、前記面放電電極（２０−ｉ）対で同一順序であることを特徴とする。
面放電電極（２０−１〜２０−ｍ）の構成がＣＳ電極構成であるとき、バス電極（４）が行隔壁（９’）と重なる位置に配置された放電電極は、維持電極（１１−１〜１１−ｍ）であり、バス電極（４’）が放電空間（２１）に面して配置された放電電極は、走査電極（１２−１〜１２−ｍ）である。
面放電電極（２０−１〜２０−ｍ）の構成がＳＣ電極構成であるとき、バス電極（４）が行隔壁（９’）と重なる位置に配置された放電電極は、走査電極（１２−１〜１２−ｍ）であり、バス電極（４’）が放電空間（２１）に面して配置された放電電極は、維持電極（１１−１〜１１−ｍ）である。
【００３０】
本発明のプラズマ表示装置（３０）において、前記バス電極（４）が前記行隔壁（９’）と重なる位置に配置された放電電極と、前記バス電極（４’）が前記放電空間（２１）に面して配置された放電電極との列方向の配列順序は、前記面放電電極（２０−ｉ）対単位で一行おきに入れ替えられていることを特徴とする。
【００３１】
面放電電極（２０−１〜２０−ｍ）の構成がＳＣＣＳ電極構成であるとき、バス電極（４）が行隔壁（９’）と重なる位置に配置された放電電極は、走査電極（１２−１）、維持電極（１１−２）、走査電極（１２−３）、維持電極（１１−４）、…、走査電極１２−（ｍ−１））、維持電極（１１−ｍ）であり、バス電極（４’）が放電空間（２１）に面して配置された放電電極は、維持電極（１１−１）、走査電極（１２−２）、維持電極（１１−３）、走査電極（１２−４）、…、維持電極１１−（ｍ−１））、走査電極（１２−ｍ）である。
このＳＣＣＳ電極構成により、本発明の装置（３０）によれば、上記の効果（製造上のバラツキの影響を受け難くすること、高い開口率を得ること、安定した書込き特性を得ること）に加えて、上記のＣＳ電極構成、上記のＳＣ電極構成よりも消費電力を低減することができる。
本発明のプラズマ表示装置（３０）では、その構成がＳＣＣＳ電極構成であるために、ＳＣ電極間の静電容量は、上記のＣＳ電極構成、上記のＳＣ電極構成に比べて約半分に削減することができる。このため、本発明のプラズマ表示装置（３０）では、静電容量に比例する消費電力を上記のＣＳ電極構成、上記のＳＣ電極構成よりも低減することができる。
【００３２】
面放電電極（２０−１〜２０−ｍ）の構成がＣＳＳＣ電極構成であるとき、バス電極（４）が行隔壁（９’）と重なる位置に配置された放電電極は、維持電極（１１−１）、走査電極（１２−２）、維持電極（１１−３）、走査電極（１２−４）、…、維持電極１１−（ｍ−１））、走査電極（１２−ｍ）であり、バス電極（４’）が放電空間（２１）に面して配置された放電電極は、走査電極（１２−１）、維持電極（１１−２）、走査電極（１２−３）、維持電極（１１−４）、…、走査電極１２−（ｍ−１））、維持電極（１１−ｍ）である。
このＣＳＳＣ電極構成により、本発明のプラズマ表示装置（３０）によれば、上記の効果（製造上のバラツキの影響を受け難くすること、高い開口率を得ること、安定した書込き特性を得ること）に加えて、上記のＣＳ電極構成、上記のＳＣ電極構成よりも消費電力を低減することができる。
本発明のプラズマ表示装置（３０）では、その構成がＣＳＳＣ電極構成であるために、ＳＣ電極間の静電容量は、上記のＣＳ電極構成、上記のＳＣ電極構成に比べて約半分に削減することができる。このため、本発明のプラズマ表示装置（３０）では、静電容量に比例する消費電力を上記のＣＳ電極構成、上記のＳＣ電極構成よりも低減することができる。
【００３３】
本発明のプラズマ表示装置（３０）は、表示装置（４０）に適用される。表示装置（４０）は、上記のプラズマ表示装置（３０）と、面放電電極（２０−１〜２０−ｍ）とアドレス電極（７−ｊ）とを駆動する駆動部（３１）とを具備することを特徴とする。
【００３４】
本発明の表示方法は、行方向に延びる行隔壁（９’）と前記行隔壁（９’）と交差する列方向に延びる列隔壁（９’’）を有するＡＣ３電極面放電型プラズマ表示装置に適用される。本発明の表示方法は、行方向に延びる１対の面放電電極（２０−ｉ）のうちの一方の放電電極に設けられたバス電極（４）を前記行隔壁（９’）と重なる位置に配置し、他方の放電電極に設けられたバス電極（４’）を前記行隔壁（９’）と列隔壁（９’’）とで囲まれる放電空間（２１）に面して配置し、アドレス期間における書込み走査パルス（Ｖｓｐ）の印加を前記他方の放電電極に行うことを特徴とする。
本発明の表示方法によれば、プラズマディスプレイパネル（３０）のＣＳ電極構成、又は、ＳＣ電極構成の場合の効果（製造上のバラツキの影響を受け難くすること、高い開口率を得ること）に加えて、安定した書込き特性を得ることができる。
一方の放電電極｛ＣＳ電極構成の場合では維持電極（１１−１〜１１−ｍ）、ＳＣ電極構成の場合では走査電極（１２−１〜１２−ｍ）｝のバス電極（４）が行隔壁（９’）上に設けられているものの、他方の放電電極｛ＣＳ電極構成の場合では走査電極（１２−１〜１２−ｍ）、ＳＣ電極構成の場合では維持電極（１１−１〜１１−ｍ）｝のバス電極（４’）が放電空間（２１）上に設けられているために、アドレス期間時に書込放電が安定して発生し、その後、維持期間時に維持放電へ安定して移行していく。即ち、バス電極間隔を８０μｍ、バス電極｛バス電極（４）、バス電極（４’）｝の幅を３０μｍ、行隔壁（９’）の幅を１４０μｍとしたとき、そのバス電極（４）が行隔壁（９’）上（法線Ｌ上）に配置されているために、数十μｍ程度の製造上のバラツキが生じた場合にも一方の放電電極が完全に放電空間（２１）上に配置されることがなく、一方の放電電極が発光した光を遮光して発光輝度をバラつかせることがない。このため、安定した書込き特性を得ることができる。
他方の放電電極のバス電極（４’）が完全に放電空間（２１）上に配置されているために、数十μｍ程度の製造のバラツキが生じた場合でもそのバス電極（４’）が行隔壁（９’）上に配置されることがなく、製造上のバラツキにより書込放電が不安定になることがなく維持放電へ常に安定して移行する。このため、安定した書込き特性を得ることができる。
【００３５】
本発明の表示方法は、行方向に延びる行隔壁（９’）と前記行隔壁（９’）と交差する列方向に延びる列隔壁（９’’）を有するＡＣ３電極面放電型プラズマ表示装置に適用される。本発明の表示方法は、行方向に延びる１対の面放電電極（２０−ｉ）のうちの一方の放電電極に設けられたバス電極（４）を前記行隔壁（９’）と重なる位置に配置し、他方の放電電極に設けられたバス電極（４’）を前記行隔壁（９’）と列隔壁（９’’）とで囲まれる放電空間（２１）に面して配置し、アドレス期間における書込み走査パルス（Ｖｓｐ）の印加を前記一方の放電電極と前記他方の放電電極に交互に行うことを特徴とする。
【００３６】
本発明の表示方法において、前記１対の面放電電極（２０−ｉ）の前記一方の放電電極と前記他方の放電電極の列方向の配列順序を前記面放電電極（２０−ｉ）対単位で入れ替えて配列することを特徴とする。
【００３７】
本発明の表示方法において、アドレス期間の前半で、前記バス電極（４）が前記行隔壁（９’）と重なる位置に配置された放電電極群に書込み走査パルス（Ｖｓｐ）を印加し、アドレス期間の後半で、前記バス電極（４）が前記放電空間（２１）に面して配置された放電電極群に書込み走査パルス（Ｖｓｐ）を印加することを特徴とする。
【００３８】
本発明の表示方法によれば、プラズマディスプレイパネル（３０）のＳＣＣＳ電極構成の場合の効果（製造上のバラツキの影響を受け難くすること、高い開口率を得ること、安定した書込き特性を得ること、消費電力を低減すること）に加えて、高い駆動安定性を得ることができる。
一般に、書込み特性は、アドレス期間の最初の方が良く、後半になるにつれて悪化してくる。ＳＣＣＳ電極構成の場合、バス電極（４）が行隔壁（９’）と重なる位置に配置された放電電極群として走査電極（１２−１、１２−３、…、１２−（ｍ−１））を走査した後、バス電極（４’）が放電空間（２１）に面して配置された放電電極群として走査電極（１２−２、１２−４、…、１２−ｍ）を走査することにより、構造的な書込み特性の悪さを駆動方法によって補うことができる。
【００３９】
本発明の表示方法によれば、プラズマディスプレイパネル（３０）のＣＳＳＣ電極構成の場合の効果（製造上のバラツキの影響を受け難くすること、高い開口率を得ること、安定した書込き特性を得ること、消費電力を低減すること）に加えて、高い駆動安定性を得ることができる。
一般に、書込み特性は、アドレス期間の最初の方が良く、後半になるにつれて悪化してくる。ＣＳＳＣ電極構成の場合、バス電極（４）が行隔壁（９’）と重なる位置に配置された放電電極群として走査電極（１２−２、１２−４、…、１２−ｍ）を走査した後、バス電極（４’）が放電空間（２１）に面して配置された放電電極群として走査電極（１２−１、１２−３、…、１２−（ｍ−１））を走査することにより、構造的な書込み特性の悪さを駆動方法によって補うことができる。
【００４０】
本発明のプラズマ表示装置（３０）は、前面基板（１）と、背面基板（２）と、前記前面基板（１）と前記背面基板（２）との間に設けられた隔壁（９）と、前記隔壁は、行方向に延在する行隔壁（９’）と、行方向と交差する列方向に延在する列隔壁（９’’）とを有し、前記前面基板（１）と前記背面基板（２）との間に設けられ、前記行隔壁（９’）と列隔壁（９’’）により区画されるセル（２１）と、前記背面基板（２）上に列方向に延在するように形成され、行方向に複数配置されるアドレス電極（７−１〜７−ｎ）と、前記前面基板（１）上に行方向に延在するように形成され、列方向に複数配列される面放電電極（２０−１〜２０−ｍ）とを具備している。
前記複数の面放電電極（２０−１〜２０−ｍ）の各々は、第１組、第２組の２組の放電電極を備えている。前記第１組の放電電極は、前記セル（２１）と前記行隔壁（９’）の上に設けられた第１透明電極（３）と、前記行隔壁（９’）上に設けられ、前記第１透明電極（３）に接続された第１バス電極（４）とを備えている。前記第２組の放電電極は、前記セル（２１）上に設けられた第２透明電極（３’）と、前記セル（２１）上に設けられ、前記第２透明電極（３’）に接続された第２バス電極（４’）とを備えている。
以上の構成により、本発明のプラズマ表示装置（３０）によれば、製造上のバラツキの影響を受け難く、高い開口率が得られる。
製造時に一方の放電電極と他方の放電電極とを配置する場合、従来のプラズマ表示装置（１３０）のようにバス電極間の中央（中間点Ｐ）と行隔壁（１０９’）の中央（法線Ｌ）とを重ね合わせるのではなく、本発明のプラズマ表示装置（３０）では、一方の放電電極の第１バス電極（４）を行隔壁（９’）上（法線Ｌ上）に設けることにより、製造上のバラツキの影響を受け難い。
開口率は、非放電ギャップ（１３）と１本分のバス電極｛第２バス電極（４’）｝の幅とを足した幅とにより決定される。このため、本発明のプラズマ表示装置（３０）では、従来のプラズマ表示装置（１３０）における（Ｃ）の場合と同等の高い開口率が得られる。このため、本発明のプラズマ表示装置（３０）によれば、高い開口率によって、十分な発光輝度を得ることができる。
【００４１】
本発明のプラズマ表示装置（３０）の複数の面放電電極（２０−１〜２０−ｍ）の構成は、ＣＳ電極構成である。ＣＳ電極構成として、前記第１組の放電電極は、維持電極（１１−１〜１１−ｍ）であり、前記第２組の放電電極は、走査電極（１２−１〜１２−ｍ）である。
【００４２】
本発明のプラズマ表示装置（３０）の複数の面放電電極（２０−１〜２０−ｍ）の構成は、ＳＣ電極構成である。ＳＣ電極構成として、前記第１組の放電電極は、走査電極（１２−１〜１２−ｍ）であり、前記第２組の放電電極は、維持電極（１１−１〜１１−ｍ）である。
【００４３】
本発明のプラズマ表示装置（３０）は、表示装置（４０）に適用される。表示装置（４０）は、上記のプラズマ表示装置（３０）と、前記複数の面放電電極（２０−１〜２０−ｍ）の各々の前記走査電極（１２−１〜１２−ｍ）、前記複数の面放電電極（２０−１〜２０−ｍ）の各々の前記維持電極（１１−１〜１１−ｍ）、及び、前記複数のアドレス電極（７−１〜７−ｎ）の各々を駆動する駆動部（３１）と、アドレス期間中に前記複数の面放電電極（２０−１〜２０−ｍ）の各々の前記走査電極（１２−１〜１２−ｍ）と前記複数のアドレス電極（７−１〜７−ｎ）の各々の間で書込放電を行って映像を表す映像データをセル（２１）に書込む制御部（３２）とを具備する。
ＣＳ電極構成、又は、ＳＣ電極構成の場合、前記制御部（３２）は、アドレス期間中に、下記の駆動方法により前記駆動部（３１）を駆動する。
前記制御部（３２）は、前記複数の面放電電極（２０−１〜２０−ｍ）の各々の前記維持電極（１１−１〜１１−ｍ）に第１電位を印加し、前記複数の面放電電極（２０−１〜２０−ｍ）の各々の前記走査電極（１２−１〜１２−ｍ）に設定電位（Ｖｓｂ）を印加し、前記映像データに応じたデータパルス電位（Ｖｄｐ）を前記複数のアドレス電極（７−１〜７−ｎ）の各々に印加するように前記駆動部（３１）を駆動する。
制御部（３２）は、前記設定電位（Ｖｓｂ）から、前記設定電位（Ｖｓｂ）よりも低い第２電位に下がる走査パルス電位（Ｖｓｐ）を、前記複数の面放電電極（２０−１〜２０−ｍ）の各々の前記走査電極（１２−１〜１２−ｍ）に順に印加するように前記駆動部（３１）を駆動する。
本発明のプラズマ表示装置（３０）によれば、ＣＳ電極構成、又は、ＳＣ電極構成の場合、上記の効果（製造上のバラツキの影響を受け難くすること、高い開口率を得ること）に加えて、安定した書込き特性を得ることができる。
一方の放電電極｛ＣＳ電極構成の場合では維持電極（１１−１〜１１−ｍ）、ＳＣ電極構成の場合では走査電極（１２−１〜１２−ｍ）｝の第１バス電極（４）が行隔壁（９’）上に設けられているものの、他方の放電電極｛ＣＳ電極構成の場合では走査電極（１２−１〜１２−ｍ）、ＳＣ電極構成の場合では維持電極（１１−１〜１１−ｍ）｝の第２バス電極（４’）がセル（２１）上に設けられているために、アドレス期間時に書込放電が安定して発生し、その後、維持期間時に維持放電へ安定して移行していく。即ち、バス電極間隔を８０μｍ、バス電極｛第１バス電極（４）、第２バス電極（４’）｝の幅を３０μｍ、行隔壁（９’）の幅を１４０μｍとしたとき、その第１バス電極（４）が行隔壁（９’）上（法線Ｌ上）に配置されているために、数十μｍ程度の製造上のバラツキが生じた場合にも一方の放電電極が完全にセル（２１）上に配置されることがなく、一方の放電電極が発光した光を遮光して発光輝度をバラつかせることがない。このため、安定した書込き特性を得ることができる。
他方の放電電極の第２バス電極（４’）が完全にセル（２１）上に配置されているために、数十μｍ程度の製造のバラツキが生じた場合でもその第２バス電極（４’）が行隔壁（９’）上に配置されることがなく、製造上のバラツキにより書込放電が不安定になることがなく維持放電へ常に安定して移行する。このため、安定した書込き特性を得ることができる。
【００４４】
本発明のプラズマ表示装置（３０）の複数の面放電電極（２０−１〜２０−ｍ）の構成は、ＳＣ電極構成部分とＣＳ電極構成部分とを有するＳＣＣＳ電極構成である。ＳＣ電極構成部分は、前記複数の面放電電極（２０−１〜２０−ｍ）のうちの配列順で奇数番目の面放電電極（２０−１、２０−３、…、２０−（ｍ−１））の構成を表し、ＣＳ電極構成部分は、前記複数の面放電電極（２０−１〜２０−ｍ）のうちの偶数番目の面放電電極（２０−２、２０−４、…、２０−ｍ）の構成を表す。
ＳＣＣＳ電極構成のうちのＳＣ電極構成部分として、前記複数の面放電電極（２０−１〜２０−ｍ）のうちの奇数番目の面放電電極（２０−１、２０−３、…、２０−（ｍ−１））の前記第１組の放電電極は、走査電極（１２−１、１２−３、…、１２−（ｍ−１））であり、前記複数の面放電電極（２０−１〜２０−ｍ）のうちの奇数番目の面放電電極（２０−１、２０−３、…、２０−（ｍ−１））の前記第２組の放電電極は、維持電極（１１−１、１１−３、…、１１−（ｍ−１））である。
ＳＣＣＳ電極構成のうちのＣＳ電極構成部分として、前記複数の面放電電極（２０−１〜２０−ｍ）のうちの偶数番目の面放電電極（２０−２、２０−４、…、２０−ｍ）の前記第１組の放電電極は、維持電極（１１−２、１１−４、…、１１−ｍ）であり、前記複数の面放電電極（２０−１〜２０−ｍ）のうちの偶数番目の面放電電極（２０−２、２０−４、…、２０−ｍ）の前記第２組の放電電極は、走査電極（１２−２、１２−４、…、１２−ｍ）である。
このＳＣＣＳ電極構成により、本発明のプラズマ表示装置（３０）によれば、上記の効果（製造上のバラツキの影響を受け難くすること、高い開口率を得ること、安定した書込き特性を得ること）に加えて、上記のＣＳ電極構成、上記のＳＣ電極構成よりも消費電力を低減することができる。
本発明のプラズマ表示装置（３０）では、その構成がＳＣＣＳ電極構成であるために、ＳＣ電極間の静電容量は、上記のＣＳ電極構成、上記のＳＣ電極構成に比べて約半分に削減することができる。このため、本発明のプラズマ表示装置（３０）では、静電容量に比例する消費電力を上記のＣＳ電極構成、上記のＳＣ電極構成よりも低減することができる。
【００４５】
本発明のプラズマ表示装置（３０）の複数の面放電電極（２０−１〜２０−ｍ）の構成は、ＣＳ電極構成部分とＳＣ電極構成部分とを有するＣＳＳＣ電極構成である。ＣＳ電極構成部分は、前記複数の面放電電極（２０−１〜２０−ｍ）のうちの配列順で奇数番目の面放電電極（２０−１、２０−３、…、２０−（ｍ−１））の構成を表し、ＳＣ電極構成部分は、前記複数の面放電電極（２０−１〜２０−ｍ）のうちの偶数番目の面放電電極（２０−２、２０−４、…、２０−ｍ）の構成を表す。
ＣＳＳＣ電極構成のうちのＣＳ電極構成部分として、前記複数の面放電電極（２０−１〜２０−ｍ）のうちの奇数番目の面放電電極（２０−１、２０−３、…、２０−（ｍ−１））の前記第１組の放電電極は、維持電極（１１−１、１１−３、…、１１−（ｍ−１））であり、複数の面放電電極（２０−１〜２０−ｍ）のうちの奇数番目の面放電電極（２０−１、２０−３、…、２０−（ｍ−１））の前記第２組の放電電極は、走査電極（１２−１、１２−３、…、１２−（ｍ−１））である。
ＣＳＳＣ電極構成のうちのＳＣ電極構成部分として、前記複数の面放電電極（２０−１〜２０−ｍ）のうちの偶数番目の面放電電極（２０−２、２０−４、…、２０−ｍ）の前記第１組の放電電極は、走査電極（１２−２、１２−４、…、１２−ｍ）であり、前記複数の面放電電極（２０−１〜２０−ｍ）のうちの偶数番目の面放電電極（２０−２、２０−４、…、２０−ｍ）の前記第２組の放電電極は、維持電極（１１−２、１１−４、…、１１−ｍ）である。
このＣＳＳＣ電極構成により、本発明のプラズマ表示装置（３０）によれば、上記の効果（製造上のバラツキの影響を受け難くすること、高い開口率を得ること、安定した書込き特性を得ること）に加えて、上記のＣＳ電極構成、上記のＳＣ電極構成よりも消費電力を低減することができる。
本発明のプラズマ表示装置（３０）では、その構成がＣＳＳＣ電極構成であるために、ＳＣ電極間の静電容量は、上記のＣＳ電極構成、上記のＳＣ電極構成に比べて約半分に削減することができる。このため、本発明のプラズマ表示装置（３０）では、静電容量に比例する消費電力を上記のＣＳ電極構成、上記のＳＣ電極構成よりも低減することができる。
【００４６】
本発明のプラズマ表示装置（３０）は、表示装置（４０）に適用される。表示装置（４０）は、上記のプラズマ表示装置（３０）と、前記複数の面放電電極（２０−１〜２０−ｍ）の各々の前記走査電極（１２−１〜１２−ｍ）、前記複数の面放電電極（２０−１〜２０−ｍ）の各々の前記維持電極（１１−１〜１１−ｍ）、及び、前記複数のアドレス電極（７−１〜７−ｎ）の各々を駆動する駆動部（３１）と、アドレス期間中に前記複数の面放電電極（２０−１〜２０−ｍ）の各々の前記走査電極（１２−１〜１２−ｍ）と前記複数のアドレス電極（７−１〜７−ｎ）の各々の間で書込放電を行って映像を表す映像データをセル（２１）に書込む制御部（３２）とを具備する。
ＳＣＣＳ電極構成の場合、前記制御部（３２）は、前記アドレス期間中に、下記の駆動方法により前記駆動部（３１）を駆動する。
前記制御部（３２）は、前記複数の面放電電極（２０−１〜２０−ｍ）の各々の前記維持電極（１１−１〜１１−ｍ）に第１電位を印加し、前記複数の面放電電極（２０−１〜２０−ｍ）の各々の前記走査電極（１２−１〜１２−ｍ）に設定電位（Ｖｓｂ）を印加し、前記映像データに応じたデータパルス電位（Ｖｄｐ）を前記複数のアドレス電極（７−１〜７−ｎ）の各々に印加するように前記駆動部（３１）を駆動する。
前記制御部（３２）は、前記設定電位（Ｖｓｂ）から、前記設定電位（Ｖｓｂ）よりも低い第２電位に下がる走査パルス電位（Ｖｓｐ）を、前記複数の面放電電極（２０−１〜２０−ｍ）の各々の前記走査電極（１２−１〜１２−ｍ）のうち、前記第１バス電極（４）が前記行隔壁（９’）上に設けられた前記走査電極（１２−１、１２−３、…、１２−（ｍ−１））に順に印加するように前記駆動部（３１）を駆動する。
前記制御部（３２）は、前記第１バス電極（４）が前記行隔壁（９’）上に設けられた前記走査電極（１２−１、１２−３、…、１２−（ｍ−１））に前記走査パルス電位（Ｖｓｐ）を印加した後、前記走査パルス電位（Ｖｓｐ）を、前記複数の面放電電極（２０−１〜２０−ｍ）の各々の前記走査電極（１２−１〜１２−ｍ）のうち、前記第２バス電極（４’）が前記セル（２１）上に設けられた前記走査電極（１２−２、１２−４、…、１２−ｍ）に順に印加するように前記駆動部（３１）を駆動する。
本発明のプラズマ表示装置（３０）によれば、ＳＣＣＳ電極構成の場合、上記の効果（製造上のバラツキの影響を受け難くすること、高い開口率を得ること、安定した書込き特性を得ること、消費電力を低減すること）に加えて、高い駆動安定性を得ることができる。
一般に、書込み特性は、アドレス期間の最初の方が良く、後半になるにつれて悪化してくる。ＳＣＣＳ電極構成の場合、第１バス電極（４）が行隔壁（９’）上に設けられた走査電極（１２−１、１２−３、…、１２−（ｍ−１））を走査した後、第２バス電極（４’）がセル（２１）上に設けられた走査電極（１２−２、１２−４、…、１２−ｍ）を走査することにより、構造的な書込み特性の悪さを駆動方法によって補うことができる。
【００４７】
ＣＳＳＣ電極構成の場合、前記制御部（３２）は、前記アドレス期間中に、下記の駆動方法により前記駆動部（３１）を駆動する。
前記制御部（３２）は、前記複数の面放電電極（２０−１〜２０−ｍ）の各々の維持電極（１１−１〜１１−ｍ）に第１電位を印加し、前記複数の面放電電極（２０−１〜２０−ｍ）の各々の前記走査電極（１２−１〜１２−ｍ）に設定電位（Ｖｓｂ）を印加し、前記映像データに応じたデータパルス電位（Ｖｄｐ）を前記複数のアドレス電極（７−１〜７−ｎ）の各々に印加するように前記駆動部（３１）を駆動する。
制御部（３２）は、前記設定電位（Ｖｓｂ）から、前記設定電位（Ｖｓｂ）よりも低い第２電位に下がる走査パルス電位（Ｖｓｐ）を、前記複数の面放電電極（２０−１〜２０−ｍ）の各々の前記走査電極（１２−１〜１２−ｍ）のうち、前記第１バス電極（４）が前記行隔壁（９’）上に設けられた前記走査電極（１２−２、１２−４、…、１２−ｍ）に順に印加するように前記駆動部（３１）を駆動する。
制御部（３２）は、前記第１バス電極（４）が前記行隔壁（９’）上に設けられた前記走査電極（１２−２、１２−４、…、１２−ｍ）に走査パルス電位（Ｖｓｐ）を印加した後、前記走査パルス電位（Ｖｓｐ）を、前記複数の面放電電極（２０−１〜２０−ｍ）の各々の前記走査電極（１２−１〜１２−ｍ）のうち、前記第２バス電極（４’）が前記セル（２１）上に設けられた前記走査電極（１２−１、１２−３、…、１２−（ｍ−１））に順に印加するように駆動部（３１）を駆動する。
本発明のプラズマ表示装置（３０）によれば、ＣＳＳＣ電極構成の場合、上記の効果（製造上のバラツキの影響を受け難くすること、高い開口率を得ること、安定した書込き特性を得ること、消費電力を低減すること）に加えて、高い駆動安定性を得ることができる。
一般に、書込み特性は、アドレス期間の最初の方が良く、後半になるにつれて悪化してくる。ＣＳＳＣ電極構成の場合、第１バス電極（４）が行隔壁（９’）上に設けられた走査電極（１２−２、１２−４、…、１２−ｍ）を走査した後、第２バス電極（４’）がセル（２１）上に設けられた走査電極（１２−１、１２−３、…、１２−（ｍ−１））を走査することにより、構造的な書込み特性の悪さを駆動方法によって補うことができる。
【発明の効果】
【００４８】
以上の説明により、本発明のプラズマ表示装置（３０）は、製造上のバラツキの影響を受け難い。
本発明のプラズマ表示装置（３０）は、高い開口率を得ることができる。
本発明のプラズマ表示装置（３０）は、安定した書込き特性を得ることができる。
本発明のプラズマ表示装置（３０）は、消費電力を低減することができる。
本発明のプラズマ表示装置（３０）は、高い駆動安定性を得ることができる。
【発明を実施するための最良の形態】
【００４９】
添付図面を参照して、本発明によるプラズマ表示装置を実施するための最良の形態を以下に説明する。
【００５０】
（第１実施形態）
図１０は、本発明の第１実施形態に係るプラズマ表示装置３０が適用された表示装置４０の構成を示す。表示装置４０は、３電極ＡＣ型プラズマディスプレイパネル（ＰＤＰ）であるプラズマ表示装置３０と、駆動部３１と、制御部３２とを具備する。プラズマ表示装置３０には、駆動部３１が接続されている。駆動部３１には、駆動部３１を駆動する制御部３２が接続されている。駆動部３１は、走査電極を駆動する走査ドライバー（図示しない）と、アドレス電極（データ電極）を駆動するアドレスドライバー（データドライバー）（図示しない）とを含んでいる。
【００５１】
プラズマ表示装置３０は、１番目からｍ番目（ｍは２以上の偶数）までのｍ個の面放電電極である面放電電極２０−１〜２０−ｍと、１番目からｎ番目（ｎは２以上の偶数）までのｎ個のアドレス電極であるアドレス電極（Ｄ）７−１〜７−ｎと、放電ガスが封入された（ｍ×ｎ）個のセル２１とを具備する。
（ｍ×ｎ）個のセル２１（画素）は、ｍ行・ｎ列に配列されている。ｍ行のうちの１つの行に属するｎ個のセル２１には、面放電電極２０−ｉ（ｉ＝１、２、…、ｍ）が設けられている。ｎ列のうちの１つの列に属するｍ個のセル２１には、面放電電極２０−ｉに直交するアドレス電極（Ｄ）７−ｊ（ｊ＝１、２、…、ｎ）が設けられている。
【００５２】
面放電電極２０−１〜２０−ｍの各々は、２組の放電電極を備えている。面放電電極２０−１〜２０−ｍの２組の放電電極のうちの一方の放電電極（第１組の放電電極）は、維持電極（Ｃ）１１−１〜１１−ｍである。面放電電極２０−１〜２０−ｍの２組の放電電極のうちの他方の放電電極（第２組の放電電極）は、走査電極（Ｓ）１２−１〜１２−ｍである。面放電電極２０−１〜２０−ｍの構成がＣＳＣＳ…の順に並んでいることから、このような構成をＣＳ電極構成と称する。
維持電極（Ｃ）１１−ｉと走査電極（Ｓ）１２−ｉとの間には、放電ギャップ２２が設けられている。面放電電極間には、非放電ギャップ１３が設けられている。
【００５３】
図１１は、本発明の第１実施形態に係るプラズマ表示装置３０の一部を示す斜視断面図である。プラズマ表示装置３０は、更に、表示側の前面基板１と、背面基板２と、透明誘電体層５と、保護層６と、誘電体層８と、隔壁９と、蛍光体層１０とを具備する。前面基板１と背面基板２としては、ガラス基板が例示される。
前面基板１と背面基板２との間の背面基板２上には、Ｙ方向に延びるアドレス電極（Ｄ）７−ｊが設けられている。
背面基板２とアドレス電極（Ｄ）７−ｊとの上には、誘電体層８が設けられている。
【００５４】
前面基板１と誘電体層８との間には、隔壁９が設けられている。隔壁９は、（ｍ×ｎ）個のセル２１をｍ行・ｎ列に配列し、且つ、放電のクロストークを防止するための行隔壁９’、列隔壁９’’を有する。行隔壁９’は、Ｘ方向（行方向）に延び、前面基板１と誘電体層８との間にアドレス電極（Ｄ）７−ｊに直交するように設けられている。列隔壁９’’は、Ｙ方向（列方向）に延び、前面基板１と誘電体層８との間にアドレス電極（Ｄ）７−ｊに平行に設けられている。
また、行隔壁９’は次のような不具合を防ぐ効果がある。第一の効果は、書き込みを行っていないセル２１が発光する、いわゆる誤灯を防ぐ効果である。また、第二の効果は、Ｙ方向に隣接する２つのセル２１に書き込みを行った場合において、最初に放電したセル２１に蓄積された壁電荷の電界が印加電圧とは逆方向に働くために、後から放電するセル２１の電界が弱められて書込み不良が起こることを防ぐ効果である。
【００５５】
誘電体層８と隔壁９の側面部（行隔壁９’の側面部と列隔壁９’’の側面部）との上には、可視発光をさせるための赤、緑、青の蛍光体層１０がスクリーン印刷などにより形成されている。
前面基板１と隔壁９との間の隔壁９上には、保護層６が設けられている。
前面基板１と保護層６との間の保護層６上には、透明誘電体層５が設けられている。
【００５６】
図１２は、本発明の第１実施形態に係るプラズマ表示装置３０を表示面から見た平面図の一部である。図１３は、図１２のＹ１−Ｙ２断面図である。
前面基板１と透明誘電体層５との間には、Ｘ方向に延びる上記の面放電電極２０−１〜２０−ｍの２組の放電電極が設けられている。面放電電極２０−１〜２０−ｍの２組の放電電極である維持電極（Ｃ）１１−１〜１１−ｍ、走査電極（Ｓ）１２−１〜１２−ｍは、Ｘ方向に延びる透明電極３と、Ｘ方向に延びるバス電極４とにより構成されている。透明電極３は、所定の大きさの放電を起こすためにある程度の面積を必要とするために、面積をかせぎ、且つ発光した光の透過率を高める。バス電極４は、透明電極３のライン抵抗を下げるための金属電極である。
【００５７】
維持電極（Ｃ）１１−１〜１１−ｍの透明電極３は、セル２１と行隔壁９’との上に設けられ、走査電極（Ｓ）１２−１〜１２−ｍの透明電極３は、セル２１上に設けられている。セル２１と行隔壁９’との上に設けられた透明電極３を第１透明電極３と称し、セル２１上に設けられた透明電極３を第２透明電極３’と称する。
維持電極（Ｃ）１１−１〜１１−ｍのバス電極４は、行隔壁９’上に設けられ、走査電極（Ｓ）１２−１〜１２−ｍのバス電極４は、セル２１上に設けられている。行隔壁９’上に設けられたバス電極４を第１バス電極４と称し、セル２１上に設けられたバス電極４を第２バス電極４’と称する。
【００５８】
具体例として、図１２に示されるように、維持電極（Ｃ）１１−１の第１透明電極３の走査電極（Ｓ）１２−１側の端部と、走査電極（Ｓ）１２−１の第２透明電極３’の維持電極（Ｃ）１１−１側の端部とは、セル２１上で第１所定距離だけ離れて設けられている。維持電極（Ｃ）１１−２の第１透明電極３の走査電極（Ｓ）１２−２側の端部と、走査電極（Ｓ）１２−２の第２透明電極３’の維持電極（Ｃ）１１−２側の端部とは、セル２１上で第１所定距離だけ離れて設けられている。第１所定距離は、放電ギャップ２２に対応する距離である。
維持電極（Ｃ）１１−１の第１透明電極３の走査電極（Ｓ）１２−１側とは反対側の端部は、行隔壁９’上に設けられ、その端部には、行隔壁９’上に設けられた第１バス電極４が接続されている。
走査電極（Ｓ）１２−１の第２透明電極３’の維持電極（Ｃ）１１−２側の端部には、セル２１上に設けられた第２バス電極４’が接続されている。
維持電極（Ｃ）１１−２の第１透明電極３の走査電極（Ｓ）１２−１側の端部は、行隔壁９’上に設けられ、その端部には、行隔壁９’上に設けられた第１バス電極４が接続されている。走査電極（Ｓ）１２−１の第２バス電極４’と維持電極（Ｃ）１１−２の第１バス電極４とは、セル２１と行隔壁９’との上で第２所定間隔だけ離れて設けられている。第２所定距離は、非放電ギャップ１３に対応する距離である。
走査電極（Ｓ）１２−２の第２透明電極３’の維持電極（Ｃ）１１−３側の端部には、セル２１上に設けられた第２バス電極４’が接続されている。
【００５９】
維持電極（Ｃ）１１−１〜１１−ｍの第１バス電極４は、表示面から見て法線Ｌに重なるように、行隔壁９’上に設けられる。法線Ｌは、行隔壁９’の中央部分を表す、Ｘ方向に延びる線である。法線Ｌは、維持電極（Ｃ）１１−１〜１１−ｍと走査電極（Ｓ）１２−１〜１２−ｍとを配置するための基準として用いられる。
【００６０】
以上の構成により、本発明の第１実施形態に係るプラズマ表示装置３０によれば、製造上のバラツキの影響を受け難く、高い開口率を得ることができる。また、本発明の第１実施形態に係るプラズマ表示装置３０によれば、安定した書込き特性を得ることができる。
製造時に維持電極（Ｃ）１１−１〜１１−ｍと走査電極（Ｓ）１２−１〜１２−ｍとを配置する場合、従来のプラズマ表示装置１３０のようにバス電極間の中央（中間点Ｐ）と行隔壁１０９’の中央（法線Ｌ）とを重ね合わせるのではなく、本発明の第１実施形態に係るプラズマ表示装置３０では、維持電極（Ｃ）１１−１〜１１−ｍの第１バス電極４を行隔壁９’上（法線Ｌ上）に設けることにより、製造上のバラツキの影響を受け難い。
開口率は、非放電ギャップ１３と１本分のバス電極（第２バス電極４’）のＹ方向の幅とを足した幅とにより決定される。このため、本発明の第１実施形態に係るプラズマ表示装置３０では、従来のプラズマ表示装置１３０における（Ｃ）の場合と同等の高い開口率を得ることができる。このため、本発明のプラズマ表示装置３０によれば、高い開口率によって、十分な発光輝度を得ることができる。
次に、安定した書込き特性を得ることができることについて、図１４を用いて説明する。
【００６１】
図１４は、本発明の第１実施形態に係るプラズマ表示装置３０を駆動する駆動波形（電位）を示すタイミングチャートである。プラズマ表示装置３０には、走査維持分離方式（ＡＤＳ方式）が適用される。ＡＤＳ方式では、１フィールド（または１サブフィールド）をリセット期間、アドレス期間、維持期間に分けて表示を行う。
リセット期間は、維持期間で維持放電が行われたときに蓄積された維持電極（Ｃ）１１−ｉと走査電極（Ｓ）１２−ｉとの間の壁電荷を消去（初期化、リセット）する期間である。
アドレス期間は、書込み特性が行われる期間である。書込み特性とは、走査電極（Ｓ）１２−ｉとアドレス電極（Ｄ）７−ｊとの間で書込放電を行って、映像を表す映像データをアドレス（セル２１）に書込む状態をいう。
維持期間は、書込放電が行われたセル２１を映像データに対応して点灯するための維持放電を維持電極（Ｃ）１１−ｉと走査電極（Ｓ）１２−ｉとの間で行う期間である。
制御部３２は、後述する電位がプラズマ表示装置の電極間に印加されるように駆動部３１を駆動する。
【００６２】
リセット期間では、駆動部３１によって、維持電極（Ｃ）１１−１〜１１−ｍ、走査電極（Ｓ）１２−１〜１２−ｍに印加された維持電位が保持され、アドレス電極（Ｄ）７−１〜７−ｎに印加された接地電位が保持される。このとき、維持期間で維持放電が行われたときに蓄積された維持電極（Ｃ）１１−ｉと走査電極（Ｓ）１２−ｉとの間の壁電荷を消去（初期化、リセット）する。
次に、駆動部３１によって、走査電極（Ｓ）１２−１〜１２−ｍに印加される電位が、維持電位から、接地電位に徐々に下げられ、走査電極（Ｓ）１２−１〜１２−ｍに印加された接地電位が保持される。
次に、駆動部３１によって、維持電極（Ｃ）１１−１〜１１−ｍに接地電位が印加され、走査電極（Ｓ）１２−１〜１２−ｍに維持電位が印加される。
次に、プライミング効果の発生を行う。駆動部３１によって、走査電極（Ｓ）１２−１〜１２−ｍに印加される電位が、維持電位から、プライミング電位になるまで徐々に上げられ、走査電極（Ｓ）１２−１〜１２−ｍに印加されたプライミング電位が保持される。プライミング電位は、維持電位よりも高い。
次に、プライミング効果によってセル２１内の誘電体層上に蓄積された壁電荷を消去する。駆動部３１によって、維持電極（Ｃ）１１−１〜１１−ｍに維持電位が印加され、維持電極（Ｃ）１１−１〜１１−ｍに印加された維持電位が保持される。駆動部３１によって、走査電極（Ｓ）１２−１〜１２−ｍに印加される電位が、プライミング電位から、維持電位に下げられる。その後、駆動部３１によって、走査電極（Ｓ）１２−１〜１２−ｍに印加される電位が、維持電位から、接地電位に徐々に下げられ、走査電極（Ｓ）１２−１〜１２−ｍに印加された接地電位が保持される。
【００６３】
アドレス期間では、駆動部３１によって、維持電極（Ｃ）１１−１〜１１−ｍに印加された維持電位が保持される。
駆動部３１によって、走査電極（Ｓ）１２−１〜１２−ｍに走査ベース電位Ｖｓｂが印加され、走査電極（Ｓ）１２−１〜１２−ｍに印加された走査ベース電位Ｖｓｂが保持される。走査ベース電位Ｖｓｂは、その最低値を基準電位である接地電位とし、その最高値を維持電位よりも低い設定電位としたものである。次いで、走査電極（Ｓ）１２−１〜１２−ｍに走査ベース電位Ｖｓｂ（設定電位）が印加されているときに、駆動部３１によって、走査ベース電位Ｖｓｂ（設定電位）を打ち消す走査パルス電位Ｖｓｐが走査電極（Ｓ）１２−１〜１２−ｍに順次に印加される。走査パルス電位Ｖｓｐは、走査ベース電位Ｖｓｂの最高値である設定電位から、走査ベース電位Ｖｓｂの最低値である接地電位まで電位が下がる負極性パルスである。
走査パルス電位Ｖｓｐ（負極性パルス）が走査電極（Ｓ）１２−１〜１２−ｍに印加されたときに、駆動部３１によって、アドレス電極（Ｄ）７−１〜７−ｎには、映像データ（表示パターン）に応じたデータパルス電位Ｖｄｐ（書込みパルス）が印加される。
【００６４】
維持期間では、駆動部３１によって、維持パルス電位である一次維持パルス電位として接地電位が走査電極（Ｓ）１２−１〜１２−ｍに印加され、維持パルス電位である一次維持パルス電位として維持電位が維持電極（Ｃ）１１−１〜１１−ｍに印加される。以降、駆動部３１によって、維持パルス電位として、走査電極（Ｓ）１２−１〜１２−ｍには、維持電位と接地電位とが交互に印加され、維持電極（Ｃ）１１−１〜１１−ｍには、接地電位と維持電位とが交互に印加される。
駆動部３１によって、アドレス電極（Ｄ）７−１〜７−ｎに接地電位が印加される。
【００６５】
ＡＤＳ方式で階調表示を行うときは、１フィールドを複数のサブフィールドに分け、各サブフィールド内の維持パルス数に重みをつけることにより実現される。
【００６６】
以上の説明により、本発明の第１実施形態に係るプラズマ表示装置３０によれば、上記の効果（製造上のバラツキの影響を受け難くすること、高い開口率を得ることができること）に加えて、安定した書込き特性を得ることができる。
維持電極（Ｃ）１１−１〜１１−ｍの第１バス電極４が行隔壁９’上に設けられているものの、走査電極（Ｓ）１２−１〜１２−ｍの第２バス電極４’が放電空間上（セル２１上）に設けられているために、アドレス期間時に書込放電が安定して発生し、その後、維持期間時に維持放電へ安定して移行していく。バス電極間隔を８０μｍ、バス電極（第１バス電極４、第２バス電極４’）のＹ方向の幅を３０μｍ、行隔壁９’のＹ方向の幅を１４０μｍとしたとき、その第１バス電極４が行隔壁９’の中央付近上（法線Ｌ上）に配置されているために、数十μｍ程度の製造上のバラツキが生じた場合にも維持電極（Ｃ）１１−１〜１１−ｍが完全に放電空間上（セル２１上）に配置されることがなく、維持電極（Ｃ）１１−１〜１１−ｍが発光した光を遮光して発光輝度をバラつかせることがない。
走査電極（Ｓ）１２−１〜１２−ｍの第２バス電極４’が完全に放電空間上（セル２１上）に配置されているために、数十μｍ程度の製造のバラツキが生じた場合でもその第２バス電極４’が行隔壁９’上に配置されることがなく、製造上のバラツキにより書込放電が不安定になることがなく維持放電へ常に安定して移行する。このため、安定した書込き特性を得ることができる。
【００６７】
（第２実施形態）
上述のように、第１実施形態における電極構成は、走査電極（Ｓ）１２−１〜１２−ｍが放電空間上（セル２１上）に設けられたＣＳ電極構成である。例えば、図３４に示されるように、駆動波形（電位）として走査電極（Ｓ）１２−１〜１２−ｍに印加される走査ベース電位Ｖｓｂ、走査パルス電位Ｖｓｐが負にシフトし、その基準電位が接地電位よりも低い場合、ＣＳ電極構成では、放電確率が非常に高いときの不具合である弱放電型書込み不良が発生しやすい。このため、耐圧の小さい走査ドライバーを使用することが困難である。弱放電型書込み不良については、第３実施形態、第４実施形態にて説明する。
本発明の第２実施形態に係るプラズマ表示装置３０では、その電極構成を、維持電極（Ｃ）１１−１〜１１−ｍが放電空間上（セル２１上）に設けられたＳＣ電極構成としている。上記のような駆動波形である場合、第２実施形態では、第１実施形態と同様の効果を得ることができる上に、上記の弱放電型書込み不良の発生を抑制することができるため、耐圧の小さい走査ドライバーを使用することができる。本発明の第２実施形態に係るプラズマ表示装置３０では、第１実施形態と重複する説明を省略する。
【００６８】
図１５は、本発明の第２実施形態に係るプラズマ表示装置３０が適用された表示装置４０の構成を示す。ＳＣ電極構成の場合、面放電電極２０−１〜２０−ｍの２組の放電電極のうちの一方の放電電極は、走査電極（Ｓ）１２−１〜１２−ｍである。面放電電極２０−１〜２０−ｍの２組の放電電極のうちの他方の放電電極は、維持電極（Ｃ）１１−１〜１１−ｍである。
【００６９】
図１６は、本発明の第２実施形態に係るプラズマ表示装置３０を表示面から見た平面図の一部である。図１７は、図１６のＹ１−Ｙ２断面図である。
ＳＣ電極構成の場合、走査電極（Ｓ）１２−１〜１２−ｍの第１透明電極３は、セル２１と行隔壁９’との上に設けられ、維持電極（Ｃ）１１−１〜１１−ｍの第２透明電極３’は、セル２１上に設けられている。走査電極（Ｓ）１２−１〜１２−ｍの第１バス電極４は、行隔壁９’上に設けられ、維持電極（Ｃ）１１−１〜１１−ｍの第２バス電極４’は、セル２１上に設けられている。
【００７０】
具体例として、図１６に示されるように、走査電極（Ｓ）１２−１の第１透明電極３の維持電極（Ｃ）１１−１側の端部と、維持電極（Ｃ）１１−１の第２透明電極３’の走査電極（Ｓ）１２−１側の端部とは、セル２１上で第１所定距離だけ離れて設けられている。走査電極（Ｓ）１２−２の第１透明電極３の維持電極（Ｃ）１１−２側の端部と、維持電極（Ｃ）１１−２の第２透明電極３’の走査電極（Ｓ）１２−２側の端部とは、セル２１上で第１所定距離だけ離れて設けられている。
走査電極（Ｓ）１２−１の第１透明電極３の維持電極（Ｃ）１１−１側とは反対側の端部は、行隔壁９’上に設けられ、その端部には、行隔壁９’上に設けられた第１バス電極４が接続されている。
維持電極（Ｃ）１１−１の第２透明電極３’の走査電極（Ｓ）１２−２側の端部には、セル２１上に設けられた第２バス電極４’が接続されている。
走査電極（Ｓ）１２−２の第１透明電極３の維持電極（Ｃ）１１−１側の端部は、行隔壁９’上に設けられ、その端部には、行隔壁９’上に設けられた第１バス電極４が接続されている。維持電極（Ｃ）１１−１の第２バス電極４’と走査電極（Ｓ）１２−２の第１バス電極４とは、セル２１と行隔壁９’との上で第２所定間隔だけ離れて設けられている。
維持電極（Ｃ）１１−２の第２透明電極３’の走査電極（Ｓ）１２−３側の端部には、セル２１上に設けられた第２バス電極４’が接続されている。
走査電極（Ｓ）１２−１〜１２−ｍの第１バス電極４は、表示面から見て法線Ｌに重なるように、行隔壁９’上に設けられる。
【００７１】
以上の説明により、本発明の第２実施形態に係るプラズマ表示装置３０によれば、走査電極（Ｓ）１２−１〜１２−ｍの第１バス電極４が行隔壁９’上に設けられているために放電確率を均一に小さくすることができ、上記弱放電型書込み不良の発生を抑制することができる。このため、耐圧の小さい走査ドライバーを使用することが出来るようになり、低いコストで走査ドライバー、プラズマ表示装置３０を生産することができる。さらに、バス電極間隔を８０μｍ、バス電極（第１バス電極４、第２バス電極４’）のＹ方向の幅を３０μｍ、行隔壁９’のＹ方向の幅を１４０μｍとしたとき、その第１バス電極４が行隔壁９’の中央付近上（法線Ｌ上）に配置されているために、数十μｍ程度の製造上のバラツキが生じた場合にも走査電極（Ｓ）１２−１〜１２−ｍが完全に放電空間上（セル２１上）に配置されることがなく、上記の弱放電型書込み不良を抑制する効果を得る事ができる。さらに、第３実施形態、第４実施形態と同様に図２８に示される変動時間Ｔａを低減することができる（この詳細は第３実施形態、第４実施形態で説明する）。
【００７２】
（第３実施形態）
上述のように、第１実施形態における電極構成はＣＳ構成であり、第２実施形態における電極構成はＳＣ電極構成である。このために、非放電ギャップ１３をバス電極間隔の形成限界まで小さくしてしまうと、ＳＣ電極間の静電容量が大きく、維持期間における充放電電流がＳＣ電極間の静電容量にほぼ比例していることから、プラズマ表示装置３０の消費電力が大きくなる傾向にある。第３実施形態では、第１実施形態、第２実施形態よりも消費電力を低減するプラズマ表示装置３０について説明する。本発明の第３実施形態に係るプラズマ表示装置３０では、第１実施形態、第２実施形態と重複する説明を省略する。
【００７３】
図１８は、本発明の第３実施形態に係るプラズマ表示装置３０が適用された表示装置４０の構成を示す。
面放電電極２０−１〜２０−ｍの各々は、２組の放電電極を備えている。
奇数番目の面放電電極２０−１、２０−３、２０−５、…、２０−（ｍ−１）の２組の放電電極のうちの一方の放電電極は、走査電極（Ｓ）１２−１、１２−３、１２−５、…、１２−（ｍ−１）である。奇数番目の面放電電極２０−１、２０−３、２０−５、…、２０−（ｍ−１）の２組の放電電極のうちの他方の放電電極は、維持電極（Ｃ）１１−１、１１−３、１１−５、…、１１−（ｍ−１）である。
偶数番目の面放電電極２０−２、２０−４、２０−６、…、２０−ｍの２組の放電電極のうちの一方の放電電極は、維持電極（Ｃ）１１−２、１１−４、１１−６、…、１１−ｍである。偶数番目の面放電電極２０−２、２０−４、２０−６、…、２０−ｍの２組の放電電極のうちの他方の放電電極は、走査電極（Ｓ）１２−２、１２−４、１２−６、…、１２−ｍである。
【００７４】
このように、第１実施形態、第２実施形態との違いは、面放電電極２０−１〜２０−ｍの構成がＳＣＣＳＳＣＣＳ・・・（放電電極１２−１、１１−１、１１−２、１２−２、１２−３、１１−３、１１−４、１２−４、・・・）の順に並んでいることにある。面放電電極２０−１〜２０−ｍの構成として、ＳＣ電極構成とＣＳ電極構成とが交互に配置されることから、このような構成をＳＣＣＳ電極構成と称する。ＳＣＣＳ電極構成のうちのＳＣ電極構成として、走査電極（Ｓ）１２−１、１２−３、１２−５、…、１２−（ｍ−１）をＳ１電極１４と称し、維持電極（Ｃ）１１−１、１１−３、１１−５、…、１１−（ｍ−１）をＣ１電極１５と称する。ＳＣＣＳ電極構成のうちのＣＳ電極構成として、維持電極（Ｃ）１１−２、１１−４、１１−６、…、１１−ｍをＣ２電極１６と称し、走査電極（Ｓ）１２−２、１２−４、１２−６、…、１２−ｍをＳ２電極１７と称する。ＳＣ電極構成（Ｓ１電極１４とＣ１電極１５）が属するセル２１を第１セル１８と称し、ＣＳ電極構成（Ｃ２電極１６とＳ２電極１７）が属するセル２１を第２セル１９と称する。
【００７５】
図１９は、本発明の第３実施形態に係るプラズマ表示装置３０を表示面から見た平面図の一部である。図２０は、図１９のＹ１−Ｙ２断面図である。
ＳＣＣＳ電極構成の場合、Ｓ１電極１４の第１透明電極３、Ｃ２電極１６の第１透明電極３は、セル２１と行隔壁９’との上に設けられ、Ｃ１電極１５の第２透明電極３’、Ｓ２電極１７の第２透明電極３’は、セル２１上に設けられている。Ｓ１電極１４の第１バス電極４、Ｃ２電極１６の第１バス電極４は、行隔壁９’上に設けられ、Ｃ１電極１５の第２バス電極４’、Ｓ２電極１７の第２バス電極４’は、セル２１上に設けられている。
【００７６】
具体例として、図１９に示されるように、走査電極（Ｓ）１２−１の第１透明電極３の維持電極（Ｃ）１１−１側の端部と、維持電極（Ｃ）１１−１の第２透明電極３’の走査電極（Ｓ）１２−１側の端部とは、セル２１上で第１所定距離だけ離れて設けられている。維持電極（Ｃ）１１−２の第１透明電極３の走査電極（Ｓ）１２−２側の端部と、走査電極（Ｓ）１２−２の第２透明電極３’の維持電極（Ｃ）１１−２側の端部とは、セル２１上で第１所定距離だけ離れて設けられている。
走査電極（Ｓ）１２−１の第１透明電極３の維持電極（Ｃ）１１−１側とは反対側の端部は、行隔壁９’上に設けられ、その端部には、行隔壁９’上に設けられた第１バス電極４が接続されている。
維持電極（Ｃ）１１−１の第２透明電極３’の維持電極（Ｃ）１１−２側の端部には、セル２１上に設けられた第２バス電極４’が接続されている。
維持電極（Ｃ）１１−２の第１透明電極３の維持電極（Ｃ）１１−１側の端部は、行隔壁９’上に設けられ、その端部には、行隔壁９’上に設けられた第１バス電極４が接続されている。維持電極（Ｃ）１１−１の第２バス電極４’と維持電極（Ｃ）１１−２の第１バス電極４とは、セル２１と行隔壁９’との上で第２所定間隔だけ離れて設けられている。第２所定距離は、非放電ギャップ１３に対応する距離である。
走査電極（Ｓ）１２−２の第２透明電極３’の走査電極（Ｓ）１２−３側の端部には、セル２１上に設けられた第２バス電極４’が接続されている。
【００７７】
走査電極（Ｓ）１２−１、１２−３、１２−５、…、１２−（ｍ−１）であるＳ１電極１４の第１バス電極４と、維持電極（Ｃ）１１−２、１１−４、１１−６、…、１１−ｍであるＣ２電極の第１バス電極４とは、表示面から見て法線Ｌに重なるように、行隔壁９’上に設けられる。
【００７８】
以上の構成により、本発明の第３実施形態に係るプラズマ表示装置３０によれば、第１実施形態、第２実施形態の効果に加えて、第１実施形態、第２実施形態よりも消費電力を低減することができる。
本発明の第３実施形態に係るプラズマ表示装置３０では、その構成がＳＣＣＳ電極構成であるために、ＳＣ電極間の静電容量は、第１実施形態におけるＣＳ電極構成、第２実施形態におけるＳＣ電極構成に比べて約半分に削減することができる。これは、ＣＳ電極構成の場合、具体例として走査電極（Ｓ）１２−２が維持電極（Ｃ）１１−１と維持電極（Ｃ）１１−２とに挟まれているのに対して、ＳＣＣＳ電極構成の場合、具体例として、Ｓ２電極１７（走査電極１２−２）がＳ１電極１４（走査電極１２−３）とＣ２電極（維持電極１１−２）１６とに挟まれているが、アドレス期間以外ではＳ２電極１７（走査電極１２−２）とＳ１電極１４（走査電極１２−３）とは同電位であることから静電容量が発生しないためである。このため、本発明の第３実施形態に係るプラズマ表示装置３０では、第１実施形態、第２実施形態よりも消費電力を低減することができる。
【００７９】
本発明の第３実施形態に係るプラズマ表示装置３０では、Ｓ１電極１４が行隔壁９’上にあり、Ｓ２電極１７が放電空間上（セル２１上）に配置されているために、第２セル１９の書込み特性が安定しているのに対して、第１セル１８の書込み特性は不安定になってしまう。そこで、第３実施形態では第１セル１８のＳ１電極１４を走査してから第２セル１９のＳ２電極１７を走査する。
次に、第１セル１８のＳ１電極１４を走査してから第２セル１９のＳ２電極１７を走査することについて、図２１を用いて説明する。
【００８０】
図２１は、本発明の第３実施形態に係るプラズマ表示装置３０を駆動する駆動波形（電位）を示すタイミングチャートである。
【００８１】
アドレス期間では、制御部３２は、第１セル１８のＳ１電極１４を走査してから第２セル１９のＳ２電極１７を走査するように駆動部３１を制御する。まず、走査電極（Ｓ）１２−１〜１２−ｍに走査ベース電位Ｖｓｂ（設定電位）が印加されているときに、駆動部３１によって、走査ベース電位Ｖｓｂ（設定電位）を打ち消す走査パルス電位Ｖｓｐ（負極性パルス）が、Ｓ１電極１４（第１バス電極４が行隔壁９’上に設けられた走査電極）である走査電極（Ｓ）１２−１、１２−３、１２−５、…、１２−（ｍ−１）に順次に印加される。Ｓ１電極１４に走査パルス電位Ｖｓｐ（負極性パルス）を印加した後、駆動部３１によって、走査パルス電位Ｖｓｐ（負極性パルス）が、Ｓ２電極１７（第２バス電極４’がセル２１上に設けられた走査電極）である走査電極（Ｓ）１２−２、１２−４、１２−６、…、１２−ｍに順次に印加される。
【００８２】
本発明の第３実施形態に係るプラズマ表示装置３０では、第１セル１８のＳ１電極１４を走査してから第２セル１９のＳ２電極１７を走査することにより、上記の効果（消費電力を低減すること）に加えて、セル全体としては従来例よりも高い駆動安定性（面内の駆動特性にバラツキが少なく安定している）を得ることができる。高い駆動安定性を得ることの詳細については、後述する実施形態４にて説明する。
【００８３】
（第４実施形態）
第３実施形態における電極構成はＳＣＣＳ電極構成である。本発明の第４実施形態に係るプラズマ表示装置３０では、その電極構成をＣＳＳＣ電極構成にしても、第３実施形態と同様の効果を得ることができる。本発明の第４実施形態に係るプラズマ表示装置３０では、第３実施形態と重複する説明を省略する。
【００８４】
図２２は、本発明の第４実施形態に係るプラズマ表示装置３０が適用された表示装置４０の構成を示す。
面放電電極２０−１〜２０−ｍの各々は、２組の放電電極を備えている。
奇数番目の面放電電極２０−１、２０−３、２０−５、…、２０−（ｍ−１）の２組の放電電極のうちの一方の放電電極は、維持電極（Ｃ）１１−１、１１−３、１１−５、…、１１−（ｍ−１）である。奇数番目の面放電電極２０−１、２０−３、２０−５、…、２０−（ｍ−１）の２組の放電電極のうちの他方の放電電極は、走査電極（Ｓ）１２−１、１２−３、１２−５、…、１２−（ｍ−１）である。
偶数番目の面放電電極２０−２、２０−４、２０−６、…、２０−ｍの２組の放電電極のうちの一方の放電電極は、走査電極（Ｓ）１２−２、１２−４、１２−６、…、１２−ｍである。偶数番目の面放電電極２０−２、２０−４、２０−６、…、２０−ｍの２組の放電電極のうちの他方の放電電極は、維持電極（Ｃ）１１−２、１１−４、１１−６、…、１１−ｍである。
【００８５】
このように、第３実施形態との違いは、面放電電極２０−１〜２０−ｍの構成がＣＳＳＣＣＳＳＣ・・・（放電電極１１−１、１２−１、１２−２、１１−２、１１−３、１２−３、１２−４、１１−４、・・・）の順に並んでいることにある。面放電電極２０−１〜２０−ｍの構成として、ＣＳ電極構成とＳＣ電極構成とが交互に配置されることから、このような構成をＣＳＳＣ電極構成と称する。ＣＳＳＣ電極構成のうちのＣＳ電極構成として、維持電極（Ｃ）１１−１、１１−３、１１−５、…、１１−（ｍ−１）をＣ２電極１６と称し、走査電極（Ｓ）１２−１、１２−３、１２−５、…、１２−（ｍ−１）をＳ２電極１７と称する。ＣＳＳＣ電極構成のうちのＳＣ電極構成として、走査電極（Ｓ）１２−２、１２−４、１２−６、…、１２−ｍをＳ１電極１４と称し、維持電極（Ｃ）１１−２、１１−４、１１−６、…、１１−ｍをＣ１電極１５と称する。第３実施形態と同様に、ＳＣ電極構成（Ｓ１電極１４とＣ１電極１５）が属するセル２１を第１セル１８と称し、ＣＳ電極構成（Ｃ２電極１６とＳ２電極１７）が属するセル２１を第２セル１９と称する。
【００８６】
図２３は、本発明の第４実施形態に係るプラズマ表示装置３０を表示面から見た平面図の一部である。図２４は、図２３のＹ１−Ｙ２断面図である。
ＣＳＳＣ電極構成の場合、Ｓ１電極１４の第１透明電極３、Ｃ２電極１６の第１透明電極３は、セル２１と行隔壁９’との上に設けられ、Ｃ１電極１５の第２透明電極３’、Ｓ２電極１７の第２透明電極３’は、セル２１上に設けられている。Ｓ１電極１４の第１バス電極４、Ｃ２電極１６の第１バス電極４は、行隔壁９’上に設けられ、Ｃ１電極１５の第２バス電極４’、Ｓ２電極１７の第２バス電極４’は、セル２１上に設けられている。
【００８７】
具体例として、図２３に示されるように、維持電極（Ｃ）１１−１の第１透明電極３の走査電極（Ｓ）１２−１側の端部と、走査電極（Ｓ）１２−１の第２透明電極３’の維持電極（Ｃ）１１−１側の端部とは、セル２１上で第１所定距離だけ離れて設けられている。走査電極（Ｓ）１２−２の第１透明電極３の走査電極（Ｓ）１２−２側の端部と、維持電極（Ｃ）１１−２の第２透明電極３’の走査電極（Ｓ）１２−２側の端部とは、セル２１上で第１所定距離だけ離れて設けられている。
維持電極（Ｃ）１１−１の第１透明電極３の走査電極（Ｓ）１２−１側とは反対側の端部は、行隔壁９’上に設けられ、その端部には、行隔壁９’上に設けられた第１バス電極４が接続されている。
走査電極（Ｓ）１２−１の第２透明電極３’の走査電極（Ｓ）１２−２側の端部には、セル２１上に設けられた第２バス電極４’が接続されている。
走査電極（Ｓ）１２−２の第１透明電極３の走査電極（Ｓ）１２−１側の端部は、行隔壁９’上に設けられ、その端部には、行隔壁９’上に設けられた第１バス電極４が接続されている。走査電極（Ｓ）１２−１の第２バス電極４’と走査電極（Ｓ）１２−２の第１バス電極４とは、セル２１と行隔壁９’との上で第２所定間隔だけ離れて設けられている。第２所定距離は、非放電ギャップ１３に対応する距離である。
維持電極（Ｃ）１１−２の第２透明電極３’の維持電極（Ｃ）１１−３側の端部には、セル２１上に設けられた第２バス電極４’が接続されている。
【００８８】
走査電極（Ｓ）１２−２、１２−４、１２−６、…、１２−ｍであるＳ１電極１４の第１バス電極４と、維持電極（Ｃ）１１−１、１１−３、１１−５、…、１１−（ｍ−１）であるＣ２電極の第１バス電極４とは、表示面から見て法線Ｌに重なるように、行隔壁９’上に設けられる。
【００８９】
以上の構成により、本発明の第４実施形態に係るプラズマ表示装置３０によれば、第３実施形態と同様に、第１実施形態、第２実施形態よりも消費電力を低減することができる。
【００９０】
本発明の第４実施形態に係るプラズマ表示装置３０では、第３実施形態と同様に、Ｓ１電極１４が行隔壁９’上にあり、Ｓ２電極１７が放電空間上（セル２１上）に配置されているために、第２セル１９の書込み特性が安定しているのに対して、第１セル１８の書込み特性は不安定になってしまう。そこで、第４実施形態では、第３実施形態と同様に、第１セル１８のＳ１電極１４を走査してから第２セル１９のＳ２電極１７を走査する。
次に、第１セル１８のＳ１電極１４を走査してから第２セル１９のＳ２電極１７を走査することについて、図２４を用いて説明する。
【００９１】
図２５は、本発明の第４実施形態に係るプラズマ表示装置３０を駆動する駆動波形（電位）を示すタイミングチャートである。
【００９２】
アドレス期間では、第３実施形態と同様に、制御部３２は、第１セル１８のＳ１電極１４を走査してから第２セル１９のＳ２電極１７を走査するように駆動部３１を制御する。まず、走査電極（Ｓ）１２−１〜１２−ｍに走査ベース電位Ｖｓｂ（設定電位）が印加されているときに、駆動部３１によって、走査ベース電位Ｖｓｂ（設定電位）を打ち消す走査パルス電位Ｖｓｐ（負極性パルス）が、Ｓ１電極１４（第１バス電極４が行隔壁９’上に設けられた走査電極）である走査電極（Ｓ）１２−２、１２−４、１２−６、…、１２−ｍに順次に印加される。Ｓ１電極１４に走査パルス電位Ｖｓｐ（負極性パルス）を印加した後、駆動部３１によって、走査パルス電位Ｖｓｐ（負極性パルス）が、Ｓ２電極１７（第２バス電極４’が行隔壁９’上に設けられた走査電極）である走査電極（Ｓ）１２−１、１２−３、１２−５、…、１２−（ｍ−１）に順次に印加される。
データパルス電位Ｖｄｐ（書込みパルス）が印加される。
【００９３】
本発明の第４実施形態に係るプラズマ表示装置３０では、第１セル１８のＳ１電極１４を走査してから第２セル１９のＳ２電極１７を走査することにより、上記の効果（消費電力を低減すること）に加えて、セル全体としては従来例よりも高い駆動安定性（面内の駆動特性にバラツキが少なく安定している）を得ることができる。
【００９４】
第３実施形態、第４実施形態において、高い駆動安定性を得ることができることについての詳細を説明する。
【００９５】
一般に、書込み特性は、アドレス期間の最初の方が良く、後半になるにつれて悪化してくる。これは、第一にアドレス期間の最初の方が時間としてリセット期間に近いために、リセット期間の時に生成された活性粒子（プライミング粒子）が多く残留していることから放電確率が非常に高く（プライミング効果）、書込放電が起こりやすくなっているためである。ところが、アドレス期間の後半になってくると、活性状態にあったプライミング粒子が徐々に安定状態へと遷移して放電確率が低下してくるために、書込み放電が起こりにくくなり、書込み特性が悪化してくる。
【００９６】
第二に、駆動部３１と制御部３２とによって、リセット期間では、書込放電が最も起こりやすいように壁電荷を形成し、アドレス期間では、走査電極（Ｓ）１２−１〜１２−ｍに走査パルス電位Ｖｓｐを印加し、アドレス電極（Ｄ）７−１〜７−ｎに書込みパルス（データパルス電位Ｖｄｐ）を印加することにより書込放電を発生させるが、実際に走査パルス電位Ｖｓｐが印加されなくても書込みパルス（データパルス電位Ｖｄｐ）をトリガにして弱い書込放電（誤書込み）が発生してしまうことがある。この誤書込みは、特に走査パルス電位Ｖｓｐの振幅に対して書込みパルス（データパルス電位Ｖｄｐ）の振幅が大きい場合や、アドレス期間前半のプライミング効果が大きい場合に発生しやすい。一旦この誤書込みが発生してしまうと、走査電極（Ｓ）１２−１〜１２−ｍに走査パルス電位Ｖｓｐを印加してアドレス電極（Ｄ）７−１〜７−ｎに書込みパルス（データパルス電位Ｖｄｐ）を印加しても、誤書込みの放電により、リセット期間において書込放電が起こりやすいように形成されていた壁電荷が消去されてしまう。このため、書込み不良になる確率が非常に高くなってしまう。以下ではこれを弱放電型書込み不良という。
【００９７】
この弱放電型書込み不良は、アドレス期間の後半で発生しやすい。それは、アドレス期間の後半になればなるほど、書込み前に印加された（他のセルを書き込むための）書込みパルス（データパルス電位Ｖｄｐ）の印加回数が増加するためである。具体例として、パネル全体の走査線の数を４００本とした場合｛この場合、走査電極（Ｓ）１２−１〜１２−４００｝、最終の４００本目｛第３実施形態では走査電極（Ｓ）１２−４００、第４実施形態では走査電極（Ｓ）１２−３９９｝が走査されるまでには最悪の場合、３９９回も誤書込みのトリガとなる書込みパルス（データパルス電位Ｖｄｐ）が印加される。
【００９８】
以上より第二の場合においても、書込み特性は、アドレス期間の最初の方が良く、後半になるにつれて悪化してくることになる。
【００９９】
よって、従来のプラズマ表示装置１３０では、製造上のバラツキで生じた書込み特性の悪いセルも走査の後半で走査されることが避けられないために、書込み特性が悪い走査の後半で書込み特性の悪いセルに書込みが行われることにより、書込み特性はパネルの面内で大きくばらついてしまう。それに対して、本発明の第３実施形態、第４実施形態に係るプラズマ表示装置３０では、第１セル１８のＳ１電極１４（走査電極の第１バス電極４が行隔壁９’上に設けられていて書込み特性が悪い）をアドレス期間の最初の方に走査することにより、構造的な書込み特性の悪さを駆動方法によって補うことができる。また、第２セル１９のＳ２電極１７（走査電極の第２バス電極４’が放電空間上（セル２１上）に設けられていて書込み特性が良い）をアドレス期間の後半に走査することにより、駆動上の書込み特性の悪さをパネル構造で補うことができる。このため、書込み特性をパネルの面内（第１セル１８と第２セル１９）で平均化することができる。よって、パネル面内の最も書込み特性の悪い所で決まる『パネル全体の書き込み特性』は従来例よりも遥かに改善することができる。次に、上記の高い駆動安定性を得ることができる効果として、パネル全体の書き込み特性の改善効果について説明する。
【０１００】
通常、従来のプラズマ表示装置１３０では、走査電極（Ｓ）１１２−１〜１１２−ｍに走査パルス電位Ｖｓｐが印加されてアドレス電極（Ｄ）１０７−１〜１０７−ｎに書込みパルス（データパルス電位Ｖｄｐ）が印加された場合、直ちに書込放電が発生せずに、印加されて数μｓ遅れてから書込放電が発生する。例えば、図２６Ａに示されるように、１行目｛走査電極（Ｓ）１１２−１｝に走査パルス電位Ｖｓｐが印加されてｊ列目｛アドレス電極（Ｄ）１０７−ｊ｝にデータパルス電位Ｖｄｐが印加された場合、図２６Ｂに示されるように、書込放電の発生として、印加されて数μｓ遅れてから、１行ｊ列目のセル１２１の発光波形が観測される。このように、数μｓ遅れてから書込特性が行われ、このタイムラグをＤＬＴ（μｓ）と定義する。
【０１０１】
図２７に示されるように、従来のプラズマ表示装置１３０では、アドレス期間で走査電極（Ｓ）１１２−１〜１１２−ｍを順に走査していくにつれて｛走査電極（Ｓ）１１２−１〜１１２−ｍに順に走査パルス電位Ｖｓｐを印加していくつれて｝、ＤＬＴ５０が大きくなる。即ち、アドレス期間の始めから終わりにかけて、ＤＬＴ５０が大きくなる。
図２８に示されるように、更に、従来のプラズマ表示装置１３０では、製造上のバラツキにより上記のＤＬＴ５０も大きく変動し、上記のＤＬＴ５０を中心としてＤＬＴ５０’からＤＬＴ５０’’までの変動時間Ｔａ分変動する。
【０１０２】
ＤＬＴ５０が、第１限界時間として走査パルス電位Ｖｓｐ（またはデータパルス電位Ｖｄｐ）のパルス幅より大きくなると、書込放電は発生せず、当然、維持放電も発生しないことから、書込み不良となり画質が低下する。
また、ＤＬＴ５０が、第２限界時間よりも小さくなりすぎると、上記の弱放電型書込み不良の発生確率が高くなり、こちらもやはり画質が低下する。この現象は、走査線の数が多い高精細パネルほど顕著になる。
つまり、パネル全体の書き込み特性の改善効果として、ＤＬＴ５０は、その絶対値が十分小さく、且つ、変動時間Ｔａを低減する（変動時間Ｔａによって第２限界時間よりも絶対値が小さくなりすぎないようにする）、ことが望まれる。
【０１０３】
図２９に示されるように、従来のプラズマ表示装置１３０におけるｋ（ｋ＝１、２、３、…、ｍ）行目のセル１２１の書込み特性を書込み特性５２と称する。その書込み特性５２によるＤＬＴをＤＬＴ［Ｔ２］と称する。
本発明のプラズマ表示装置３０のＳＣ電極構成におけるｇ行目のセル２１の書込み特性を書込み特性５１と称する。その書込み特性５１によるＤＬＴをＤＬＴ［Ｔ１］と称する。第２実施形態の場合、ｇは、ｇ＝１、２、３、…、ｍで表され、且つ、ｇ＝ｉで表される。第３実施形態の場合、ｇは、ｇ＝１、３、５、…、ｍ−１で表され、且つ、ｇ＝ｉで表される。第４実施形態の場合、ｇは、ｇ＝２、４、６、…、ｍで表され、且つ、ｇ＝ｉで表される。従来のプラズマ表示装置１３０では、走査電極１１２−ｋのバス電極１０４がセル１２１と行隔壁１０９’との上に設けられているのに対して、本発明のプラズマ表示装置３０のＳＣ電極構成では、走査電極１２−ｇ（ｇ＝ｋ）の第１バス電極４が行隔壁９’上に設けられていることにより、ＤＬＴ［Ｔ１］は、ＤＬＴ［Ｔ２］よりも大きい。
本発明のプラズマ表示装置３０のＣＳ電極構成におけるｇ行目のセル２１の書込み特性を書込み特性５３と称する。その書込み特性５３によるＤＬＴをＤＬＴ［Ｔ３］と称する。第１実施形態の場合、ｇは、ｇ＝１、２、３、…、ｍで表され、且つ、ｇ＝ｉで表される。第３実施形態の場合、ｇは、ｇ＝２、４、６、…、ｍで表され、且つ、ｇ＝ｉで表される。第４実施形態の場合、ｇは、ｇ＝１、３、５、…、ｍ−１で表され、且つ、ｇ＝ｉで表される。従来のプラズマ表示装置１３０では、走査電極１１２−ｋのバス電極１０４がセル１２１と行隔壁１０９’との上に設けられているのに対して、本発明のプラズマ表示装置３０のＣＳ電極構成では、走査電極１２−ｇ（ｇ＝ｋ）の第１バス電極４がセル２１上に設けられていることにより、ＤＬＴ［Ｔ３］は、ＤＬＴ［Ｔ２］よりも小さい。
【０１０４】
まず、本発明の第１実施形態に係るプラズマ表示装置３０におけるパネル全体の書き込み特性の改善効果について説明する。
図３０に示されるように、第１実施形態の場合、アドレス期間で走査電極（Ｓ）１２−１〜１２−ｍを順に走査していくにつれて、ＤＬＴ５４が大きくなる。ＤＬＴ５４の絶対値は、ＤＬＴ５０の絶対値に対して差分時間５５だけ小さい。差分時間５５は、ＤＬＴ［Ｔ２］からＤＬＴ［Ｔ３］を引いた時間（値）である。このように、第１実施形態の場合、パネル全体の書き込み特性の改善効果として、ＤＬＴ５４の絶対値は、ＤＬＴ５０の絶対値に対して差分時間５５だけ改善される（小さくなる）。
また、本発明のプラズマ表示装置３０では、第１実施形態の電極構成により、パネル全体の書き込み特性の改善効果として、変動時間Ｔａが低減される。
これにより、本発明の第１実施形態に係るプラズマ表示装置３０では、従来のプラズマ表示装置１３０よりも、ＤＬＴ５４の絶対値が十分小さく、且つ、変動時間Ｔａが低減される（変動時間Ｔａによって第２限界時間よりも絶対値が小さくなりすぎない）。
【０１０５】
維持電極のバス電極が行隔壁上に設けられた第１実施形態では、書込み特性が悪い場合に効果があるのに対して、走査電極のバス電極が行隔壁上に設けられた第２実施形態では、書込み特性が良すぎる場合に効果がある。つまり、書込み特性は、良すぎても悪すぎても不具合が生じてしまう。
即ち、書込み特性には最適値（範囲）があり、第３実施形態、第４実施形態ではその書込み特性のばらつきを小さくする事により、上記の最適範囲にいれることを容易にする事を特徴としている。
【０１０６】
次に、本発明の第３実施形態、第４実施形態に係るプラズマ表示装置３０におけるパネル全体の書き込み特性の改善効果について、第３実施形態を例にして説明する。
【０１０７】
図３１に示されるように、第３実施形態の場合、アドレス期間で走査電極（Ｓ）１２−１、１２−３、１２−５、…、１２−（ｍ−１）を順に走査していくにつれて、ＤＬＴ５６が大きくなる。アドレス期間の前半では、ＤＬＴ５６の絶対値は、ＤＬＴ５０の絶対値に対して、差分時間５７だけ小さい。差分時間５７は、第１差分時間に第２差分時間を引いた時間（値）である。第１差分時間は、最終行であるｍ行目のセル２１の書込み特性によるＤＬＴから、中央行である（ｍ／２）行目のセル２１の書込み特性によるＤＬＴを引いた時間（値）である。第２差分時間は、ＤＬＴ［Ｔ１］からＤＬＴ［Ｔ２］を引いた時間（値）である。このように、第３実施形態の場合、アドレス期間の前半では、パネル全体の書き込み特性の改善効果として、ＤＬＴ５６の絶対値は、ＤＬＴ５０の絶対値に対して差分時間５７だけ改善される（小さくなる）。
また、第３実施形態の電極構成により、アドレス期間の前半では、パネル全体の書き込み特性の改善効果として、差分時間５７内の上記の第１差分時間と変動時間Ｔａとが低減される。
これにより、本発明の第３実施形態（第４実施形態）に係るプラズマ表示装置３０では、アドレス期間の前半の場合、従来のプラズマ表示装置１３０よりも、ＤＬＴ５６の絶対値が十分小さく、且つ、変動時間Ｔａが低減される（変動時間Ｔａによって第２限界時間よりも絶対値が小さくなりすぎない）。
【０１０８】
図３２に示されるように、アドレス期間の後半では、ＤＬＴ５８の絶対値は、ＤＬＴ５６の絶対値に対して、差分時間５９だけ小さい。差分時間５９は、ＤＬＴ［Ｔ２］からＤＬＴ［Ｔ３］を引いた時間（値）である。このように、第３実施形態の場合、アドレス期間の後半では、パネル全体の書き込み特性の改善効果として、ＤＬＴ５９の絶対値は、ＤＬＴ５６の絶対値に対して差分時間５９だけ改善される（小さくなる）。
また、第３実施形態の電極構成により、アドレス期間の後半では、パネル全体の書き込み特性の改善効果として、ＤＬＴ［Ｔ１］からＤＬＴ［Ｔ３］を引いた時間（値）と、変動時間Ｔａとが低減される。
これにより、本発明の第３実施形態（第４実施形態）に係るプラズマ表示装置３０では、アドレス期間の後半の場合、従来のプラズマ表示装置１３０よりも、ＤＬＴ５８の絶対値が十分小さく、且つ、変動時間Ｔａが低減される（変動時間Ｔａによって第２限界時間よりも絶対値が小さくなりすぎない）。
【０１０９】
（第５実施形態）
上述のように、第１実施形態におけるＣＳ電極構成では、製造上のバラツキにかかわらず、維持電極（Ｃ）１１−１〜１１−ｍの第１バス電極４は行隔壁９’に重なって形成され、走査電極（Ｓ）１２−１〜１２−ｍの第２バス電極４‘は放電空間に面して形成されている（図１２参照）。しかしながら、維持電極（Ｃ）１１−１〜１１−ｍの第１透明電極３は一部が放電空間に形成され、一部が行隔壁９’に重なるように形成されているため、製造上のばらつきにより第１透明電極３が放電空間に重なる面積と、行隔壁９’に重なる面積がばらつくことになる。同様に、走査電極（Ｓ）１２−１〜１２−ｍの第２透明電極３’は一部が放電空間に形成され、一部が行隔壁９’に重なるように形成されているため、製造上のばらつきにより第２透明電極３’が放電空間に重なる面積と、行隔壁９’に重なる面積がばらつくことになる。その結果、製造上のばらつきにより書く込み特性や維持放電特性がばらつくことになる。
本発明の第５実施形態に係るプラズマ表示装置３０は、上記のような問題に対応するものである。
【０１１０】
第５実施形態では、具体例として、図１２に示されたＣＳ電極構成を図３３に示されるようなＣＳ電極構成としている。すなわち、放電ギャップ２２近傍の第１透明電極３の幅（Ｘ方向の長さ）に比べて、第１バス電極４近傍の第１透明電極３の幅（Ｘ方向の長さ）を短くする。ここで、第１透明電極３の面積と第２透明電極３’の面積は実質的に同じである。このような形状にすることにより、前面基板１と背面基板２の製造上のＹ方向のばらつきの影響を小さくすることができる。
【０１１１】
なお、第５実施形態における第１透明電極３の形状は、第１実施形態に加えて第２乃至第４実施形態にも適用できる。図３３に示されるように、維持電極（Ｃ）の第１バス電極４が行隔壁９’に重なる場合は、放電ギャップ２２近傍の維持電極（Ｃ）の第１透明電極３の幅（Ｘ方向の長さ）に比べて、第１バス電極４近傍の維持電極（Ｃ）の第１透明電極３の幅を短くする（第１、第３、第４実施形態に適用）。一方、走査電極（Ｓ）の第１バス電極４が行隔壁９’に重なる場合は、放電ギャップ２２近傍の走査電極（Ｓ）の第１透明電極３の幅（Ｘ方向の長さ）に比べて、第１バス電極４近傍の走査電極（Ｓ）の第１透明電極３の幅を短くする（第２、第３、第４実施形態に適用）。
第１〜第４実施形態において、第１バス電極４が行隔壁９’に重なる場合は、上記のような第１透明電極３の形状にすることにより、その実施形態の効果に加えて、ｙ方向にズレが生じても、放電空間上に配置されている放電電極の面積の誤差が小さいために、所定の書込み特性を有するプラズマディスプレイを安定して生産することができる。
【０１１２】
以上の説明により、本発明のプラズマ表示装置３０は、製造上のバラツキがあっても従来のプラズマ表示装置１３０よりも書込み特性が安定し、特に、走査線の数に依存されることなく、従来のプラズマ表示装置１３０よりも書込み特性が安定している。
本発明のプラズマ表示装置３０は、高い開口率を得ることができるため、十分な発光輝度を得ることができる。
本発明のプラズマ表示装置３０は、静電容量を低くできるために消費電力を低減することができる。
本発明のプラズマ表示装置３０は、上述した構成、上述した駆動方法により、高い駆動安定性を得ることができる。
【図面の簡単な説明】
【０１１３】
【図１】従来のプラズマ表示装置の構成を示す。
【図２】従来のプラズマ表示装置の一部を示す斜視断面図である。
【図３】従来のプラズマ表示装置を表示面から見た平面図の一部である。
【図４】図３のＹ１−Ｙ２断面図である。
【図５】従来のプラズマ表示装置を駆動する駆動波形（電位）を示すタイミングチャートである。
【図６】（Ａ）の場合に従来のプラズマ表示装置を表示面から見た平面図の一部である。
【図７】図６のＹ１−Ｙ２断面図である。
【図８】（Ｂ）の場合に従来のプラズマ表示装置を表示面から見た平面図の一部である。
【図９】図８のＹ１−Ｙ２断面図である。
【図１０】本発明の第１実施形態に係るプラズマ表示装置が適用された表示装置の構成を示す。
【図１１】本発明の第１実施形態に係るプラズマ表示装置の一部を示す斜視断面図である。
【図１２】本発明の第１実施形態に係るプラズマ表示装置を表示面から見た平面図の一部である。
【図１３】図１２のＹ１−Ｙ２断面図である。
【図１４】本発明の第１実施形態に係るプラズマ表示装置を駆動する駆動波形（電位）を示すタイミングチャートである。
【図１５】本発明の第２実施形態に係るプラズマ表示装置が適用された表示装置の構成を示す。
【図１６】本発明の第２実施形態に係るプラズマ表示装置を表示面から見た平面図の一部である。
【図１７】図１６のＹ１−Ｙ２断面図である。
【図１８】本発明の第３実施形態に係るプラズマ表示装置が適用された表示装置の構成を示す。
【図１９】本発明の第３実施形態に係るプラズマ表示装置を表示面から見た平面図の一部である。
【図２０】図１９のＹ１−Ｙ２断面図である。
【図２１】本発明の第３実施形態に係るプラズマ表示装置を駆動する駆動波形（電位）を示すタイミングチャートである。
【図２２】本発明の第４実施形態に係るプラズマ表示装置が適用された表示装置の構成を示す。
【図２３】本発明の第４実施形態に係るプラズマ表示装置を表示面から見た平面図の一部である。
【図２４】図２３のＹ１−Ｙ２断面図である。
【図２５】本発明の第４実施形態に係るプラズマ表示装置を駆動する駆動波形（電位）を示すタイミングチャートである。
【図２６Ａ】本発明のプラズマ表示装置の効果の一部を説明するために用いられる、従来のプラズマ表示装置を駆動する駆動波形（電位）を示すタイミングチャートである。
【図２６Ｂ】図２６ＡのＡ部分の拡大図である。
【図２７】本発明のプラズマ表示装置の効果の一部を説明するために用いられる、従来のプラズマ表示装置におけるＤＬＴとアドレス期間との関係を示す図である。
【図２８】本発明のプラズマ表示装置の効果の一部を説明するために用いられる、従来のプラズマ表示装置におけるＤＬＴとアドレス期間との関係を示す図である。
【図２９】本発明のプラズマ表示装置の効果の一部を説明するために用いられる、ＤＬＴと走査電極（バス電極）の位置との関係を示す図である。
【図３０】本発明のプラズマ表示装置の効果の一部を説明するために用いられる、本発明の第１実施形態に係るプラズマ表示装置におけるＤＬＴとアドレス期間との関係を示す図である。
【図３１】本発明のプラズマ表示装置の効果の一部を説明するために用いられる、本発明の第３実施形態に係るプラズマ表示装置におけるＤＬＴとアドレス期間との関係を示す図である。
【図３２】本発明のプラズマ表示装置の効果の一部を説明するために用いられる、本発明の第３実施形態に係るプラズマ表示装置におけるＤＬＴとアドレス期間との関係を示す図である。
【図３３】本発明の第５実施形態に係るプラズマ表示装置を表示面から見た平面図の一部である。
【図３４】本発明の第２実施形態に係るプラズマ表示装置を説明するために用いられる、駆動波形（電位）を示すタイミングチャートである。
【符号の説明】
【０１１４】
１    前面基板
２    背面基板
３    第１透明電極
３’  第２透明電極
４    第１バス電極
４’  第２バス電極
５    透明誘電体層
６    保護層
７−１〜７−ｎ    アドレス電極（Ｄ）
８    誘電体層
９    隔壁
９’  行隔壁
９’’  列隔壁
１０    蛍光体層
１１−１〜１１−ｍ    維持電極（Ｃ）
１２−１〜１２−ｍ    走査電極（Ｓ）
１３    非放電ギャップ
１４    Ｓ１電極
１５    Ｃ１電極
１６    Ｃ２電極
１７    Ｓ２電極
１８    第１セル
１９    第２セル
２０−１〜２０−ｍ    面放電電極
２１    セル
２２    放電ギャップ
３０    プラズマ表示装置
３１    駆動部
３２    制御部
５０、５０’、５０’’、５４、５６、５８    ＤＬＴ（タイムラグ）
５１、５２、５３    書込み特性
５５、５７、５９    差分時間
１０１    前面基板
１０２    背面基板
１０３    透明電極
１０４    バス電極
１０５    透明誘電体層
１０６    保護層
１０７−１〜１０７−ｎ    アドレス電極（Ｄ）
１０８    誘電体層
１０９    隔壁
１０９’  行隔壁
１０９’’  列隔壁
１１０    蛍光体層
１１１−１〜１１１−ｍ    維持電極（Ｃ）
１１２−１〜１１２−ｍ    走査電極（Ｓ）
１１３    非放電ギャップ
１２１    セル
１２２    放電ギャップ
１３０    プラズマ表示装置
【図１】
2005056825.tif 000003
【図２】
2005056825.tif 000004
【図３】
2005056825.tif 000005
【図４】
2005056825.tif 000006
【図５】
2005056825.tif 000007
【図６】
2005056825.tif 000008
【図７】
2005056825.tif 000009
【図８】
2005056825.tif 000010
【図９】
2005056825.tif 000011
【図１０】
2005056825.tif 000012
【図１１】
2005056825.tif 000013
【図１２】
2005056825.tif 000014
【図１３】
2005056825.tif 000015
【図１４】
2005056825.tif 000016
【図１５】
2005056825.tif 000017
【図１６】
2005056825.tif 000018
【図１７】
2005056825.tif 000019
【図１８】
2005056825.tif 000020
【図１９】
2005056825.tif 000021
【図２０】
2005056825.tif 000022
【図２１】
2005056825.tif 000023
【図２２】
2005056825.tif 000024
【図２３】
2005056825.tif 000025
【図２４】
2005056825.tif 000026
【図２５】
2005056825.tif 000027
【図２６Ａ】
2005056825.tif 000028
【図２６Ｂ】
2005056825.tif 000029
【図２７】
2005056825.tif 000030
【図２８】
2005056825.tif 000031
【図２９】
2005056825.tif 000032
【図３０】
2005056825.tif 000033
【図３１】
2005056825.tif 000034
【図３２】
2005056825.tif 000035
【図３３】
2005056825.tif 000036
【図３４】
2005056825.tif 000037